(57)【要約】  本発明は、充電方法、端末および充電アダプタを開示する。端末は、ＵＳＢポートと、プロセッサと、論理回路とを含む。プロセッサおよび論理回路はそれぞれ、ＵＳＢポートに連結されている。論理回路は、対象高速充電プロトコルをサポートし、プロセッサは、論理回路に接続され、ＵＳＢポートは、充電アダプタに接続するように構成され、対象高速充電プロトコルは、端末と充電アダプタとの間の連続通信機能をサポートする高速充電プロトコルである。方法は、プロセッサが、ＵＳＢポートを用いて充電アダプタのタイプを検出する段階と、充電アダプタのタイプは、対象高速充電プロトコルをサポートする高速充電アダプタであることを検出した場合、プロセッサが、対象高速充電プロトコルに基づいて、連続通信機能を有する、充電アダプタへの通信リンクを確立し、通信リンクを用いて、充電アダプタが端末を高速充電する処理を制御する段階とを含む。
2019534672.tif 000002
【特許請求の範囲】
【請求項１】
端末の高速充電処理に適用される充電方法であって、
前記端末は、ユニバーサルシリアルバスＵＳＢポートと、プロセッサと、論理回路とを備え、
前記プロセッサおよび前記論理回路はそれぞれ、前記ＵＳＢポートに連結され、
前記論理回路は、対象高速充電プロトコルをサポートし、
前記プロセッサは、前記論理回路に接続され、
前記ＵＳＢポートは、充電アダプタに接続するように構成され、
前記対象高速充電プロトコルは、前記端末と前記充電アダプタとの間の連続通信機能をサポートする高速充電プロトコルであり、
前記方法は、
前記プロセッサが、前記ＵＳＢポートを用いて前記充電アダプタのタイプを検出する段階と、
前記プロセッサが、前記充電アダプタの前記タイプは、前記対象高速充電プロトコルをサポートする高速充電アダプタであることを検出した場合、前記プロセッサが、前記対象高速充電プロトコルに基づいて、前記連続通信機能を有する、前記充電アダプタへの通信リンクを確立し、前記通信リンクを用いて、前記充電アダプタが前記端末を高速充電する処理を制御する段階と
を備える方法。
【請求項２】
前記ＵＳＢポートは、第１の電極および第２の電極を有し、
前記プロセッサが、前記ＵＳＢポートを用いて前記充電アダプタのタイプを検出する前記段階は、
前記プロセッサが第１のレベル信号を前記第１の電極に印加する段階と、
前記プロセッサが、前記第２の電極上の第２のレベル信号の検出値を取得するために、前記第２のレベル信号を予め設定された期間の後に検出する段階と、
前記第２のレベル信号の前記検出値が前記第１のレベル信号の値未満である場合、前記プロセッサが、前記充電アダプタの前記タイプは、前記対象高速充電プロトコルをサポートする高速充電アダプタである、と判断する段階と
を有する、
請求項１に記載の方法。
【請求項３】
前記プロセッサが、前記対象高速充電プロトコルに基づいて、前記連続通信機能を有する、前記充電アダプタへの通信リンクを確立する前記段階は、
前記プロセッサが、前記対象高速充電プロトコルに基づいて、前記通信リンクが正常に確立されているかどうかを検出するために用いられるサウンディング信号を前記充電アダプタへ送信する段階と、
前記充電アダプタにより前記サウンディング信号に応答して送信されたフィードバック信号を受信した場合、前記プロセッサが、前記連続通信機能を有する、前記充電アダプタへの前記通信リンクを確立する段階と
有する、
請求項１または２に記載の方法。
【請求項４】
前記端末は、第１のカウンタおよび第２のカウンタをさらに備え、
前記方法は、
前記プロセッサが前記フィードバック信号を受信しなかった場合、前記プロセッサが、第１の予め設定されたルールに基づいて前記第１のカウンタの値を上げる段階と、
前記プロセッサが、前記第１のカウンタにより現在記録されているカウントが第１の予め設定された閾値を超えているかどうかを判断し、是の場合、前記プロセッサが、第２の予め設定されたルールに基づいて前記第２のカウンタの値を上げる段階と、
前記プロセッサが、前記第２のカウンタにより現在記録されているカウントが第２の予め設定された閾値を超えているかどうかを判断し、是の場合、前記プロセッサが前記サウンディング信号を送信するのを止める段階と
をさらに備える、
請求項３に記載の方法。
【請求項５】
前記第１のカウンタにより現在記録されている前記カウントが前記第１の予め設定された閾値を超えていない場合、前記プロセッサが前記サウンディング信号を繰り返し送信する段階
をさらに備える、請求項４に記載の方法。
【請求項６】
前記第２のカウンタにより現在記録されている前記カウントが前記第２の予め設定された閾値を超えていない場合、前記プロセッサが、初期化処理を実行するよう前記第１のカウンタを制御する段階
をさらに備える、請求項５に記載の方法。
【請求項７】
前記プロセッサが、前記対象高速充電プロトコルに基づいてサウンディング信号を前記充電アダプタへ送信する前記段階の前に、
前記プロセッサが前記第１のカウンタと前記第２のカウンタとを別々に初期化する段階
をさらに備える、請求項４に記載の方法。
【請求項８】
前記端末は、第３のカウンタをさらに備え、
前記方法は、
前記プロセッサが前記フィードバック信号を受信しなかった場合、前記プロセッサが、第３の予め設定されたルールに基づいて前記第３のカウンタの値を上げる段階と、
前記プロセッサが、前記第３のカウンタにより現在記録されているカウントが第３の予め設定された閾値を超えているかどうかを判断し、是の場合、前記プロセッサが前記サウンディング信号を送信するのを止め、または、否の場合、前記プロセッサが前記サウンディング信号を繰り返し送信する段階と、
をさらに備える、
請求項３に記載の方法。
【請求項９】
前記第２のレベル信号の前記検出値が前記第１のレベル信号の前記値以上である場合、前記プロセッサが、前記充電アダプタの前記タイプは標準的な充電アダプタであると判断し、予め設定された標準的な充電手順を用いて、前記充電アダプタと通信する段階
をさらに備える、請求項２に記載の方法。
【請求項１０】
充電アダプタが端末を高速充電する処理に適用される充電方法であって、
前記充電アダプタは、ユニバーサルシリアルバスＵＳＢポートと、コントローラと、論理回路とを備え、
前記コントローラおよび前記論理回路はそれぞれ、前記ＵＳＢポートに連結され、
前記論理回路は、対象高速充電プロトコルをサポートし、
前記コントローラは、前記論理回路に接続され、
前記ＵＳＢポートは、前記端末に接続するように構成され、
前記ＵＳＢポートは、第１の電極および第２の電極を有し、
前記第１の電極と前記第２の電極との間には短絡回路接続が存在し、
前記対象高速充電プロトコルは、前記端末と前記充電アダプタとの間の連続通信機能をサポートする高速充電プロトコルであり、
前記方法は、
前記コントローラが、前記端末により前記充電アダプタのタイプを検出するために印加される第１のレベル信号を前記第１の電極が有しているかどうかを検出する段階と、
前記コントローラが、前記第１のレベル信号が前記第１の電極に印加されていることを検出した場合、前記コントローラが、前記第１の電極と前記第２の電極との間の前記短絡回路接続を切断し、前記第２の電極のレベル信号を前記第１のレベル信号から第２のレベル信号へ調整することにより、前記端末が、前記第１のレベル信号の値と前記第２のレベル信号の値とに基づいて、前記充電アダプタの前記タイプは、前記対象高速充電プロトコルをサポートする高速充電アダプタである、と判断するようにする段階であって、前記第２のレベル信号の前記値は、前記第１のレベル信号の前記値未満である、段階と
を備える、
方法。
【請求項１１】
前記コントローラが前記第２の電極のレベル信号を前記第１のレベル信号から第２のレベル信号へ調整する前記段階の後に、
前記コントローラが、前記端末により送信されたサウンディング信号を受信する段階であって、前記サウンディング信号は、通信リンクが正常に確立されているかどうかを検出するために用いられる、段階と、
前記コントローラが、前記サウンディング信号に応答するためにフィードバック信号を前記端末へ送信することにより、前記連続通信機能を有する通信リンクを前記端末および前記コントローラが確立するようにする段階と
をさらに備える、請求項１０に記載の方法。
【請求項１２】
前記充電アダプタは、プルダウン抵抗器およびスイッチをさらに備え、
前記プルダウン抵抗器は、前記スイッチを用いて前記第２の電極から分離され、
前記コントローラが前記第２の電極のレベル信号を前記第１のレベル信号から第２のレベル信号へ調整する前記段階は、
前記コントローラが、前記スイッチを用いて、前記プルダウン抵抗器を前記第２の電極に電気的に接続し、前記プルダウン抵抗器を用いて、前記第２の電極の前記レベル信号を前記第１のレベル信号から前記第２のレベル信号へ調整する段階
を有する、
請求項１０または１１に記載の方法。
【請求項１３】
端末であって、
ユニバーサルシリアルバスＵＳＢポートと、プロセッサと、論理回路とを備え、
前記プロセッサおよび前記論理回路はそれぞれ、前記ＵＳＢポートに連結され、
前記論理回路は、対象高速充電プロトコルをサポートし、
前記プロセッサは、前記論理回路に接続され、
前記ＵＳＢポートは、充電アダプタに接続するように構成され、
前記対象高速充電プロトコルは、前記端末と前記充電アダプタとの間の連続通信機能をサポートする高速充電プロトコルであり、
前記プロセッサは、
前記ＵＳＢポートを用いて前記充電アダプタのタイプを検出し、かつ、
前記充電アダプタの前記タイプは、前記対象高速充電プロトコルをサポートする高速充電アダプタであることを検出した場合、前記対象高速充電プロトコルに基づいて、前記連続通信機能を有する、前記充電アダプタへの通信リンクを確立し、前記通信リンクを用いて、前記充電アダプタが前記端末を高速充電する処理を制御する
ように構成される、
端末。
【請求項１４】
前記ＵＳＢポートは、第１の電極および第２の電極を有し、
前記プロセッサはさらに、
第１のレベル信号を前記第１の電極に印加し、
前記第２の電極上の第２のレベル信号の検出値を取得するために、前記第２のレベル信号を予め設定された期間の後に検出し、かつ、
前記第２のレベル信号の前記検出値が前記第１のレベル信号の値未満である場合、前記充電アダプタの前記タイプは、前記対象高速充電プロトコルをサポートする高速充電アダプタである、と判断する
ように構成される、
請求項１３に記載の端末。
【請求項１５】
前記プロセッサはさらに、
前記対象高速充電プロトコルに基づいて、前記通信リンクが正常に確立されているかどうかを検出するために用いられるサウンディング信号を前記充電アダプタへ送信し、
前記充電アダプタにより前記サウンディング信号に応答して送信されたフィードバック信号が受信された場合、前記連続通信機能を有する、前記充電アダプタへの前記通信リンクを確立する
ように構成される、
請求項１３または１４に記載の端末。
【請求項１６】
前記端末は、第１のカウンタおよび第２のカウンタをさらに備え、
前記プロセッサはさらに、
前記フィードバック信号が受信されなかった場合、第１の予め設定されたルールに基づいて前記第１のカウンタの値を上げ、
前記第１のカウンタにより現在記録されているカウントが第１の予め設定された閾値を超えているかどうかを判断し、是の場合、第２の予め設定されたルールに基づいて前記第２のカウンタの値を上げ、かつ、
前記第２のカウンタにより現在記録されているカウントが第２の予め設定された閾値を超えているかどうかを判断し、是の場合、前記サウンディング信号を送信するのを止める
ように構成される、
請求項１５に記載の端末。
【請求項１７】
前記プロセッサはさらに、前記第１のカウンタにより現在記録されている前記カウントが前記第１の予め設定された閾値を超えていない場合、前記サウンディング信号を繰り返し送信するように構成される、
請求項１６に記載の端末。
【請求項１８】
前記プロセッサはさらに、
前記第２のカウンタにより現在記録されている前記カウントが前記第２の予め設定された閾値を超えていない場合、初期化処理を実行するよう前記第１のカウンタを制御する
ように構成される、
請求項１７に記載の端末。
【請求項１９】
前記プロセッサはさらに、
前記対象高速充電プロトコルに基づいて前記サウンディング信号を前記充電アダプタへ送信する前に、前記第１のカウンタと前記第２のカウンタとを別々に初期化する
ように構成される、
請求項１６に記載の端末。
【請求項２０】
前記端末は、第３のカウンタをさらに備え、
前記プロセッサはさらに、
前記フィードバック信号が受信されなかった場合、第３の予め設定されたルールに基づいて前記第３のカウンタの値を上げ、かつ、
前記第３のカウンタにより現在記録されているカウントが第３の予め設定された閾値を超えているかどうかを判断し、是の場合、前記サウンディング信号を送信するのを止め、または、否の場合、前記サウンディング信号を繰り返し送信する
ように構成される、
請求項１５に記載の端末。
【請求項２１】
前記プロセッサはさらに、
前記第２のレベル信号の前記検出値が前記第１のレベル信号の前記値以上である場合、前記充電アダプタの前記タイプは標準的な充電アダプタであると判断し、予め設定された標準的な充電手順を用いて前記充電アダプタと通信する
ように構成される、
請求項１４に記載の端末。
【請求項２２】
充電アダプタであって、
ユニバーサルシリアルバスＵＳＢポートと、コントローラと、論理回路とを備え、
前記コントローラおよび前記論理回路はそれぞれ、前記ＵＳＢポートに連結され、
前記論理回路は、対象高速充電プロトコルをサポートし、
前記コントローラは、前記論理回路に接続され、
前記ＵＳＢポートは、端末に接続するように構成され、
前記ＵＳＢポートは、第１の電極および第２の電極を有し、
前記第１の電極と前記第２の電極との間には短絡回路接続が存在し、
前記対象高速充電プロトコルは、前記端末と前記充電アダプタとの間の連続通信機能をサポートする高速充電プロトコルであり、
前記コントローラは、前記端末により前記充電アダプタのタイプを検出するために印加される第１のレベル信号を前記第１の電極が有しているかどうかを検出し、前記第１のレベル信号が前記第１の電極に印加されていることを検出した場合、前記第１の電極と前記第２の電極との間の前記短絡回路接続を切断し、前記第２の電極のレベル信号を前記第１のレベル信号から第２のレベル信号へ調整することにより、前記端末が、前記第１のレベル信号の値と、前記第２のレベル信号の値であって、前記第１のレベル信号の前記値未満である値とに基づいて、前記充電アダプタの前記タイプは、前記対象高速充電プロトコルをサポートする高速充電アダプタである、と判断するようにする
ように構成される、
充電アダプタ。
【請求項２３】
前記コントローラはさらに、
前記第２の電極の前記レベル信号を前記第１のレベル信号から前記第２のレベル信号へ調整した後に、通信リンクが正常に確立されているかどうかを検出するために用いられる、前記端末により送信されたサウンディング信号を受信し、前記サウンディング信号に応答するためにフィードバック信号を前記端末へ送信することにより、前記端末および前記コントローラが前記連続通信機能を有する通信リンクを確立するようにする
ように構成される、
請求項２２に記載の充電アダプタ。
【請求項２４】
前記充電アダプタは、プルダウン抵抗器およびスイッチをさらに備え、
前記プルダウン抵抗器は、前記スイッチを用いて前記第２の電極から分離され、
前記コントローラはさらに、
前記スイッチを用いて、前記プルダウン抵抗器を前記第２の電極に接続し、前記プルダウン抵抗器を用いて、前記第２の電極の前記レベル信号を前記第１のレベル信号から前記第２のレベル信号へ調整する
ように構成される、
請求項２２または２３に記載の充電アダプタ。
【発明の詳細な説明】
【技術分野】
【０００１】
本願は、２０１６年１１月３日に中国特許庁に出願された、「充電方法、端末および充電アダプタ」と題する中国特許出願第ＣＮ２０１６１０９５８２５６．２号の優先権を主張する。当該出願は、参照により、その全体が本明細書に組み込まれる。
【０００２】
本発明は、充電技術分野、特に、充電方法、端末および充電アダプタに関する。
【背景技術】
【０００３】
現在、携帯電話の電力消費は、従来の携帯電話と比較して、大幅に増えている。携帯電話には様々な用途があるので、携帯電話は実際には、はるかに長時間用いられている。携帯電話のバッテリの容量は従来の携帯電話と比較して比較的大幅に改善されているが、バッテリのエネルギー密度は大幅には改善されていないので、携帯電話の待機時間は概して、消費者の要求を満たし得ない。従って、携帯電話は、頻繁に充電される必要があり、従来技術においては、比較的長時間充電される。結果として、携帯電話は頻繁に充電される必要があり、充電には過度に長い時間が掛かるので、消費者は、携帯電話を用いる場合、非常に望ましくない体験をしている。
【０００４】
従来技術は、主に高速充電技術を用いて、携帯電話の待機時障害の問題を解決している。
【０００５】
しかしながら、既存の高速充電技術では、高速充電処理中にパラメータに対して精密な制御を実行するために用いられる利用可能な通信チャネルが、端末と充電アダプタとの間に存在しない。従って、充電の安全性が保証され得ない。
【発明の概要】
【０００６】
本発明の実施形態は、端末と充電アダプタとの間に通信チャネルを確立することにより高速充電処理中にパラメータに対して精密な制御を実行する充電方法、端末および充電アダプタを提供し、これにより、充電の安全性を改善する。
【０００７】
本発明の実施形態の第１の態様は、充電方法を提供する。方法は、端末の高速充電処理に適用され得る。端末は、ユニバーサルシリアルバス（Ｕｎｉｖｅｒｓａｌ  Ｓｅｒｉａｌ  Ｂｕｓ、ＵＳＢ）と、プロセッサと、論理回路とを含む。プロセッサおよび論理回路はそれぞれ、ＵＳＢポートに連結されている。論理回路は、対象高速充電プロトコルをサポートし、プロセッサは、論理回路に接続され、ＵＳＢポートは、充電アダプタに接続するように構成され、既存の高速充電プロトコルとは異なり、対象高速充電プロトコルは、端末と充電アダプタとの間の連続通信機能をサポートする高速充電プロトコルである。方法は、プロセッサが、ＵＳＢポートを用いて充電アダプタのタイプを検出する段階と、充電アダプタのタイプは、対象高速充電プロトコルをサポートする高速充電アダプタであることを検出した場合、プロセッサが、対象高速充電プロトコルに基づいて、連続通信機能を有する、充電アダプタへの通信リンクを確立し、通信リンクを用いて、充電アダプタが端末を高速充電する処理を制御する段階とを含み得る。プロセッサが、対象高速充電プロトコルを用いて、連続通信機能を有する、充電アダプタへの通信リンクを確立し、通信リンクを用いて、高速充電処理中にパラメータに対して精密な制御を実行することにより、充電の安全性を改善することは、明らかである。
【０００８】
いくつかの可能な実装形態において、ＵＳＢポートは、第１の電極および第２の電極を含み得る。実際の適用では、第１の電極は、Ｄ＋を用いて示され得、第２の電極は、Ｄ−を用いて示され得る。  プロセッサが、ＵＳＢポートを用いて充電アダプタのタイプを検出することは、
プロセッサが、予め設定された電源管理ユニットを用いて第１のレベル信号を第１の電極に印加し得ることと、
プロセッサが、第２の電極上の第２のレベル信号の検出値を取得するために、第２のレベル信号を予め設定された期間の後に検出することと、
第２のレベル信号の検出値が第１のレベル信号の値未満である場合、プロセッサが、充電アダプタのタイプは、対象高速充電プロトコルをサポートする高速充電アダプタである、と判断する段階と
を含み得る。ＵＳＢを用いて端末が充電アダプタに接続された後に、充電アダプタは、ＵＳＢの第１の電極とＵＳＢの第２の電極との間に短絡回路接続を確立することが理解されるべきである。従って、プロセッサが、予め設定された電源管理ユニットを用いて第１のレベル信号をＵＳＢの第１の電極に印加した後、第１のレベル信号も、それに応じて、ＵＳＢの第２の電極上で得られる。通常の場合、プロセッサが、予め設定された期間の後にＵＳＢの第２の電極上の第２のレベル信号を検出した場合、第２のレベル信号の検出値は、第１のレベル信号の値と同じであるべきである。しかしながら、本発明において、充電アダプタのタイプが、対象高速充電プロトコルをサポートする高速充電アダプタであるかどうかを検出するために、プロセッサは、予め設定された電源管理ユニットを用いて、第１のレベル信号をＵＳＢの第１の電極に印加し、充電アダプタは、第１の電極と第２の電極との間の短絡回路接続を切断し、プルダウン抵抗器を用いて、第２の電極上の第１のレベル信号を第２のレベル信号へ調整する。調整された第２のレベル信号の値は、第１のレベル信号の値未満である。当然、第２のレベル信号の値は、代替的に０であり得、詳細は、本明細書において限定されない。言い換えれば、プロセッサによりＵＳＢの第２の電極上で検出される第２のレベル信号の検出値が第１のレベル信号の値未満である場合、充電アダプタのタイプは、対象高速充電プロトコルをサポートする高速充電アダプタである、と判断され得る。プロセッサによりＵＳＢの第２の電極上で検出される第２のレベル信号の検出値が第１のレベル信号の値と等しい場合、充電アダプタは、対象高速充電プロトコルをサポートしない充電アダプタである、と判断され得る。
【０００９】
いくつかの他の可能な実装形態において、プロセッサが、対象高速充電プロトコルに基づいて、連続通信機能を有する、充電アダプタへの通信リンクを確立する段階は、
プロセッサが、対象高速充電プロトコルに基づいて、通信リンクが正常に確立されているかどうかを検出するために用いられるサウンディング信号を充電アダプタへ送信する段階と、
充電アダプタによりサウンディング信号に応答して送信されたフィードバック信号を受信した場合、プロセッサが、連続通信機能を有する、充電アダプタへの通信リンクを確立する段階と
を含み得る。実際の適用では、プロセッサは、対象高速充電プロトコルに基づいて、プライマリデバイスピングを充電アダプタへ送信し得る。プロセッサは、充電アダプタにより送信される、プライマリデバイスピングに対応するセカンダリデバイスピングを受信している場合、連続通信機能を有する、充電アダプタへの通信リンクを確立する。
【００１０】
いくつかの他の可能な実装形態において、端末は、第１のカウンタおよび第２のカウンタをさらに含み得る。  方法は、
プロセッサが、充電アダプタによりサウンディング信号に応答して送信されたフィードバック信号を受信しなかった場合、プロセッサが、第１の予め設定されたルールに基づいて、第１のカウンタの値を上げる、例えば、第１のカウンタの値を１だけ上げる段階と、
第１のカウンタにより記録されている回数が第１の予め設定された閾値を超えている場合、プロセッサが、第２の予め設定されたルールに基づいて、第２のカウンタの値を上げる、例えば、第２のカウンタの値を１だけ上げる段階と、
第２のカウンタにより記録されている回数が第２の予め設定された閾値を超えている場合、プロセッサが、サウンディング信号を送信するのを止める段階と
をさらに含み得る。実際の適用では、第１の予め設定された閾値は５であり得、第２の予め設定された閾値は３であり得る。このことは、本明細書ニオいて限定されない。さらに、第１のカウンタにより記録されている回数が第１の予め設定された閾値以下である場合、プロセッサは、サウンディング信号を繰り返し送信する。さらに、第２のカウンタにより記録されている回数が第２の予め設定された閾値以下である場合、プロセッサは、初期化処理を実行するよう第１のカウンタを制御する。
【００１１】
いくつかの他の可能な実装形態において、プロセッサが、対象高速充電プロトコルに基づいて、サウンディング信号を充電アダプタへ送信する段階の前に、方法は、
プロセッサが、第１のカウンタおよび第２のカウンタを別々に初期化する、例えば、第１のカウンタにより記録されている回数と、第２のカウンタにより記録されている回数とをリセットする段階
をさらに含む。
【００１２】
いくつかの他の可能な実装形態において、端末は、第３のプロセッサをさらに含む。  方法は、
プロセッサが、フィードバック信号を受信しなかった場合、プロセッサが、第３の予め設定されたルールに基づいて第３のカウンタの値を上げる段階と、
プロセッサが、第３のカウンタにより現在記録されているカウントが第３の予め設定された閾値超であるかどうか、例えば、第３の予め設定された閾値が１５であるかどうかを判断し、是の場合、プロセッサが、サウンディング信号を送信するのを止め、または、否の場合、プロセッサがサウンディング信号を繰り返し送信する段階と、
をさらに含み得る。
【００１３】
いくつかの他の可能な実装形態において、方法は、第２のレベル信号の検出値が第１のレベル信号の値以上である場合、充電アダプタのタイプは、対象高速充電プロトコルをサポートしない高速充電アダプタであることを示すことをさらに含み得る。従って、プロセッサは、予め設定された標準的な充電手順を用いて充電アダプタと通信する。
【００１４】
本発明の実施形態の第２の態様は、充電方法を提供する。方法は、充電アダプタが端末を高速充電する処理に適用され得る。充電アダプタは、ユニバーサルシリアルバスＵＳＢポートと、コントローラと、論理回路とを含む。コントローラおよび論理回路はそれぞれ、ＵＳＢポートに連結される。論理回路は、対象高速充電プロトコルをサポートする。コントローラは、論理回路に接続され、ＵＳＢポートは、端末に接続するように構成され、ＵＳＢポートは、第１の電極および第２の電極を含み、第１の電極と第２の電極との間には、短絡回路接続が存在し、対象高速充電プロトコルは、端末と充電アダプタとの間の連続通信機能をサポートする高速充電プロトコルである。  方法は、
コントローラが、端末により充電アダプタのタイプを検出するために印加される第１のレベル信号を第１の電極が有しているかどうかを検出する段階と、
コントローラが、第１のレベル信号が第１の電極に印加されていることを検出した場合、コントローラが、第１の電極と第２の電極との間の短絡回路接続を切断し、端末が、第２の電極のレベル信号の値が第１の電極のレベル信号の値未満であることに基づいて、充電アダプタのタイプは、対象高速充電プロトコルをサポートする高速充電アダプタである、と判断するように、第２の電極のレベル信号を第１のレベル信号から、第２の電極での値が第１のレベル信号の値未満である第２のレベル信号へ調整する段階と
を含み得る。コントローラが、端末が、第１の電極上のレベル信号と第２の電極上のレベル信号とに基づいて、充電アダプタのタイプは対象高速充電プロトコルをサポートする高速充電アダプタであるかどうかを判断するように、第１の電極および第２の電極上のレベル信号を調整し、これにより、本発明の技術的解決手段を改善することは、明らかである。
【００１５】
いくつかの可能な実装形態において、コントローラが第２の電極上のレベル信号を第１のレベル信号から第２のレベル信号へ調整する段階の後に、方法は、
コントローラが、端末により送信されたサウンディング信号を受信する段階であって、サウンディング信号は、通信リンクが正常に確立されているかどうかを検出するために用いられる、段階と、
コントローラが、サウンディング信号に応答するためにフィードバック信号を端末へ送信することにより、連続通信機能を有する通信リンクを端末およびコントローラが確立するようにする段階と
をさらに含む。実際の適用では、端末は、対象高速充電プロトコルに基づいて、プライマリデバイスピングを充電アダプタへ送信し得る。端末は、充電アダプタにより送信される、プライマリデバイスピングに対応するセカンダリデバイスピングを受信している場合、連続通信機能を有する、充電アダプタへの通信リンクを確立する。
【００１６】
いくつかの他の可能な実装形態において、充電アダプタは、プルダウン抵抗器およびスイッチをさらに含み得る。プルダウン抵抗器は、スイッチを用いて第２の電極から分離される。コントローラが、第２の電極上のレベル信号を第１のレベル信号から第２のレベル信号へ調整する段階は、コントローラが、スイッチを用いて、プルダウン抵抗器を第２の電極に接続し、プルダウン抵抗器を用いて、第２の電極のレベル信号を第１のレベル信号から第２のレベル信号へ調整する段階を含み得る。実際の適用では、第２のレベル信号の値は、０であり得る。
【００１７】
本発明の実施形態の第３の態様は、端末を提供する。端末は、第１の態様または第１の態様の任意の任意選択の実装形態による方法の機能を実行するように構成される。端末は、ユニバーサルシリアルバスＵＳＢポートと、プロセッサと、論理回路とを含み得る。プロセッサおよび論理回路はそれぞれ、ＵＳＢポートに連結される。論理回路は、対象高速充電プロトコルをサポートする。プロセッサは、論理回路に接続され、ＵＳＢポートは、充電アダプタに接続するように構成され、対象高速充電プロトコルは、端末と充電アダプタとの間の連続通信機能をサポートする高速充電プロトコルである。プロセッサは、対応する処理機能を実行するように構成される。
【００１８】
本発明の実施形態の第４の態様は、充電アダプタを提供する。充電アダプタは、第２の態様または第２の態様の任意の任意選択の実装形態による方法の機能を実行するように構成される。充電アダプタは、ユニバーサルシリアルバスＵＳＢポートと、コントローラと、論理回路とを含み得る。コントローラおよび論理回路はそれぞれ、ＵＳＢポートに連結される。論理回路は、対象高速充電プロトコルをサポートする。コントローラは、論理回路に接続され、ＵＳＢポートは、端末に接続するように構成され、ＵＳＢポートは、第１の電極および第２の電極を含み、第１の電極と第２の電極との間には、短絡回路接続が存在し、対象高速充電プロトコルは、端末と充電アダプタとの間の連続通信機能をサポートする高速充電プロトコルである。コントローラは、対応する制御機能を実行するように構成される。
【００１９】
本発明の実施形態の技術的解決手段において、端末は、対象高速充電プロトコルを用いて、連続通信機能を有する、充電アダプタへの通信リンクを確立し、通信リンクを用いて、高速充電処理中にパラメータに対して精密な制御を実行することにより、充電の安全性を保証する。
【図面の簡単な説明】
【００２０】
【図１】本発明の実施形態による端末および充電アダプタの実施形態のモジュールブロック図である。
【００２１】
【図２】本発明の実施形態による端末および充電アダプタの実施形態の簡略モジュールブロック図である。
【００２２】
【図３】本発明の実施形態による充電方法の実施形態のフローチャートである。
【００２３】
【図４】本発明の実施形態による充電方法の別の実施形態のフローチャートである。
【００２４】
【図５】本発明の実施形態による充電方法の別の実施形態のフローチャートである。
【００２５】
【図６】本発明の実施形態による充電方法の別の実施形態のフローチャートである。
【００２６】
【図７】本発明の実施形態による充電方法の別の実施形態のフローチャートである。
【００２７】
【図８】本発明の実施形態による端末の実施形態の模式図である。
【００２８】
【図９】本発明の実施形態による充電アダプタの実施形態の模式図である。
【発明を実施するための形態】
【００２９】
以下では、本発明の実施形態の添付図面を参照して、本発明の実施形態の技術的解決手段を明確かつ十分に説明する。説明される実施形態は、本発明の実施形態の全てではなく、一部に過ぎないことは明らかである。当業者により本発明の実施形態に基づいて創造的な努力なく得られる全ての他の実施形態は、本発明の保護範囲に含まれものとする。
【００３０】
本発明の明細書、特許請求の範囲および添付図面において、「第１の」、「第２の」、「第３の」、「第４の」等の用語（存在する場合）は、類似する対象同士を区別することを意図しており、必ずしも特定の順序または順番を示すわけではない。そのような方式で称されるデータは、本明細書において説明される本発明の実施形態が本明細書において示されるかまたは説明される順序以外の順序で実装され得るように、適切な状況において置き換え可能であることが理解されるべきである。さらに、「含む」、「包含する」およびあらゆる他の異形といった用語は、非排他的な包含を含むことを意味する。例えば、列挙される段階またはユニットを含む処理、方法、システム、製品またはデバイスは、必ずしもそれらのユニットに限定されるわけではなく、明確に列挙されていない、またはそのような処理、方法、システム、製品またはデバイスに固有の他のユニットを含んでよい。
【００３１】
高速充電技術は現在、携帯電話分野における競争の中心的事項のうちの１つである。高速充電技術は、携帯電話の待機時障害を完全に克服する方法ではないが、実行可能な選択肢であり、より速くより安全な充電処理を消費者に提供し得ると共に、利便性とより良い体験とをユーザにもたらし得る。以下の例は、２つの一般的な高速充電技術である。
【００３２】
［例１］
【００３３】
クアルコム（Ｑｕａｌｃｏｍｍ、ＱＣ）は、高速充電技術ＱＣ２．０／ＱＣ３．０を始めている。高速充電技術ＱＣ２．０において、充電アダプタは、ＵＳＢポートの電圧Ｄ＋およびＤ−を検出することにより、対応する電圧（表１に示される）を出力する。これは現在、比較的広く適用されている高速充電技術である。
【表１】
2019534672.tif 000003
【００３４】
ＱＣ２．０と比較して、ＱＣ３．０は、より精密な方式で出力電圧制御を実装し得る。ＱＣ３．０は、２００ＭＶの増分を工程として用い、３．６Ｖから２０Ｖの範囲の電圧オプションを提供する。
【００３５】
［例２］
【００３６】
ＭｅｄｉａＴｅｋ  Ｉｎｃ．（ＭｅｄｉａＴｅｋ  Ｉｎｃ．、ＭＴＫ）は、高速充電技術ＰＥ／ＰＥ＋を始めている。高速充電技術ＰＥ／ＰＥ＋において、充電アダプタは、ＵＳＢポートの電源ケーブルＶＢＵＳを検出することにより対応するパルスシーケンスを出力して、出力電圧を上げるか、または下げる。
【００３７】
しかしながら、既存の高速充電技術では、高速充電処理中にパラメータに対して精密な制御を実行するために用いられる利用可能な通信チャネルが、ほとんどの端末と充電アダプタとの間に存在しない。従って、充電の安全性が保証され得ない。
【００３８】
このことに基づいて、本発明の実施形態は、端末と充電アダプタとの間に通信チャネルを確立することにより高速充電処理中にパラメータに対して精密な制御を実行する充電方法を提供し、これにより、充電の安全性を改善する。
【００３９】
図１を参照すると、図１は、本発明の実施形態による端末および充電アダプタの実施形態のモジュールブロック図である。
【００４０】
本発明の本実施形態における端末は、代替的にユーザ機器（Ｕｓｅｒ  Ｅｑｕｉｐｍｅｎｔ、ＵＥ）と称され、音声接続および／またはデータ接続をユーザに提供するデバイスであり、例えば、無線接続機能を有するハンドヘルドデバイスまたは車載デバイスである。一般的な端末は、例えば、携帯電話、タブレットコンピュータ、ノートブックコンピュータ、パームトップコンピュータ、モバイルインターネットデバイス（ｍｏｂｉｌｅ  Ｉｎｔｅｒｎｅｔ  ｄｅｖｉｃｅ、ＭＩＤ）、およびスマートウォッチ、スマートバンドまたは歩数計などのウェアラブルデバイスを含む。
【００４１】
本発明の本実施形態における充電アダプタは、高速充電機能を有するだけでなく、高速充電処理中にパラメータに対して精密な制御も実行し得る充電アダプタである。
【００４２】
図１に示されるように、端末１０１は、ＢＣ１．２および高速充電プロトコル論理ユニット１０１１と、高速充電プロトコル検出論理ユニット１０１２と、割込論理ユニット１０１３と、制御インタフェース１０１４と、外部インタフェース１０１５とを含む。
【００４３】
ＢＣ１．２および高速充電プロトコル論理ユニット１０１１は、充電アダプタのタイプを検出するように構成され、さらに、対象高速充電プロトコルを有効にすることにより端末１０１と充電アダプタ１０２との間に通信チャネルを確立し、かつ、通信チャネルを用いて高速充電処理中にパラメータに対して精密な制御を実行することにより充電の安全性を保証するように構成される。対象高速充電プロトコルは、端末１０１と充電アダプタ１０２との間の連続通信機能をサポートする高速充電プロトコルである。
【００４４】
ＢＣ１．２はバッテリ充電（Ｂａｔｔｅｒｙ  Ｃｈａｒｇｉｎｇ、ＢＣ）の仕様であることに留意すべきである。バッテリ充電の仕様は、端末１０１に接続されている充電アダプタ１０２が、標準ダウンリンクポートＳＤＰ、充電ダウンリンクポートＣＤＰ、専用充電ポートＤＣＰ等といったタイプのものであるかどうかを判断するための方法を定義する。
【００４５】
ＳＤＰポートでは、Ｄ＋ケーブルおよびＤ−ケーブルは、１５ｋΩのプルダウン抵抗器を有し、電流制限値は、ＳＤＰが停止されている場合には２．５ｍＡであり、ＳＤＰが接続されている場合には１００ｍＡであり、ＳＤＰが接続され、比較的高い電力で構成されている場合には５００ｍＡである。
【００４６】
ＣＤＰポートは、高電流充電だけでなく、ＵＳＢ２．０との十分な互換性があるデータ送信もサポートする。このポートは、Ｄ＋およびＤ−の通信により必要とされる１５ｋΩのプルダウン抵抗器を含み、充電器の検出段における切り替えのための内部回路も含む。内部回路は、ポータブルデバイスがＣＤＰを別のタイプのポートと区別することを可能にする。
【００４７】
ＤＣＰポートは、データ送信をサポートしないが、１．５Ａ超の電流を提供し得る。このポートのＤ＋ケーブルとＤ−ケーブルとの間には、短絡回路が存在する。そのようなポートは、ウォールチャージャーと、比較的強力な充電機能を有する自動車充電器とをサポートする。
【００４８】
高速充電プロトコル検出論理ユニット１０１２は、充電アダプタ１０２側の対象高速充電プロトコルを検出するように構成される。対象高速充電プロトコルは、高速充電処理中にパラメータに対して精密な制御を実行して充電の安全性を向上させるべく、端末１０１と充電アダプタ１０２との間に通信チャネルを確立するために用いられる。
【００４９】
割込論理ユニット１０１３は、割込要求（Ｉｎｔｅｒｒｕｐｔ  Ｒｅｑｕｅｓｔ、ＩＲＱ）を実行するように構成される。
【００５０】
コントローラインタフェース１０１４は、端末デバイス１０１のメインプロセッサと通信するよう、ＢＣ１．２および高速充電プロトコル論理ユニット１０１１にインタフェースを提供するように構成される。インタフェースは、例えば、クロック信号線ＳＣＬおよびデータ線ＳＤＡを含む集積回路間（Ｉｎｔｅｒ−Ｉｎｔｅｇｒａｔｅｄ  Ｃｉｒｃｕｉｔ、Ｉ２Ｃバス）バスである。
【００５１】
外部インタフェース１０１５は、ＵＳＢポートなどの外部デバイスに接続するように構成される。ＵＳＢポートは、データ送信およびバッテリ充電を含む複数の機能を有する。
【００５２】
図１に示されるように、充電アダプタ１０２は、高速充電プロトコル論理ユニット１０２１、機能論理ユニット１０２２および外部インタフェース１０２３を含む。
【００５３】
高速充電プロトコル論理ユニット１０２１は、対象高速充電プロトコルを有効にして端末デバイス１０１と充電アダプタ１０２との間に通信チャネルを確立し、かつ、通信チャネルを用いて高速充電処理中にパラメータに対して精密な制御を実行することにより充電の安全性を保証するように構成される。
【００５４】
機能論理ユニット１０２２は、充電アダプタ１０２のいくつかの追加の機能を実行するように構成され、機能論理ユニット１０２２は、いくつかのレジスタを予め定義する。
【００５５】
外部インタフェース１０２３は、端末デバイス１０１に接続するように構成され、例えば、ＵＳＢポートである。
【００５６】
図１は、端末および充電アダプタの具体的なモジュールブロック図を示す。実施形態の説明を容易にするために、図１に基づいて、図２は、端末および充電アダプタの簡略モジュールブロック図である。
【００５７】
図２に示されるように、端末２０１は、論理回路２０１１、ＵＳＢポート２０１２およびプロセッサ２０１３を含む。論理回路２０１１は、図１に示されるＢＣ１．２および高速充電プロトコル論理ユニット１０１１の機能を実行するように構成される。ＵＳＢポート２０１２は、図１に示される端末のＤ＋およびＤ−と同等である。プロセッサ２０１３は、図１に示される高速充電プロトコル検出論理ユニット１０１２の機能を実行し得る。
【００５８】
充電アダプタ２０２は、論理回路２０２１、ＵＳＢポート２０２２およびコントローラ２０２３を含む。論理回路２０１１は、図１に示される高速充電プロトコル論理ユニット１０２１の機能を実行するように構成される。ＵＳＢポート２０２２は、図１に示される充電アダプタのＤ＋およびＤ−と同等である。コントローラ２０２３は、図１に示される機能論理ユニット１０２２の機能を実行し得る。
【００５９】
図２に示される端末および充電アダプタの簡略モジュールブロック図に基づいて、以下では、本具体的な実施形態を用いて、異なる観点から本発明の実施形態における充電方法を説明する。
【００６０】
１．  端末側
【００６１】
図３を参照すると、図３は、本発明の実施形態による充電方法の実施形態のフローチャートである。方法は、以下の段階を含む。
【００６２】
３０１：プロセッサが、ＵＳＢポートを用いて充電アダプタのタイプを検出する。
【００６３】
本実施形態において、プロセッサは、端末内にある。端末は、ＵＳＢポートと、プロセッサと、論理回路とを含み得る。プロセッサおよび論理回路はそれぞれ、ＵＳＢポートに連結されている。論理回路は、対象高速充電プロトコルをサポートし、プロセッサは、論理回路に接続され、ＵＳＢポートは、充電アダプタに接続するように構成され、対象高速充電プロトコルは、端末と充電アダプタとの間の連続通信機能をサポートする高速充電プロトコルである。
【００６４】
ＵＳＢを用いて端末が充電アダプタに接続された後、端末は、ピアデバイスのタイプを認識しないので、端末のプロセッサがＵＳＢポートを用いて充電アダプタのタイプを検出する必要があることが理解されるべきである。
【００６５】
３０２：プロセッサが、充電アダプタのタイプは、対象高速充電プロトコルをサポートする高速充電アダプタであることを検出した場合、プロセッサは、対象高速充電プロトコルに基づいて、連続通信機能を有する、充電アダプタへの通信リンクを確立し、通信リンクを用いて、充電アダプタが端末を高速充電する処理を制御する。
【００６６】
本実施形態において、プロセッサは、充電アダプタのタイプが標準的な充電アダプタであることを検出した場合、予め設定された標準的な充電手順を用いて充電アダプタと通信する。
【００６７】
本実施形態において、端末は、対象高速充電プロトコルを用いて、連続通信機能を有する、充電アダプタへの通信リンクを確立し、通信リンクを用いて、高速充電処理中にパラメータに対して精密な制御を実行することにより、充電の安全性を保証する。
【００６８】
任意選択で、可能な実施形態のいくつかにおいて、ＵＳＢポートは、第１の電極および第２の電極を含む。  プロセッサが、ＵＳＢポートを用いて充電アダプタのタイプを検出する段階は、
プロセッサが第１のレベル信号を第１の電極に印加する段階と、
プロセッサが、第２の電極上の第２のレベル信号の検出値を取得するために、第２のレベル信号を予め設定された期間の後に検出する段階と、
第２のレベル信号の検出値が第１のレベル信号の値未満である場合、プロセッサが、充電アダプタのタイプは、対象高速充電プロトコルをサポートする高速充電アダプタである、と判断する段階と
を含む。
【００６９】
本実施形態において、実際の適用では、第１の電極は、Ｄ＋を用いて示され得、第２の電極は、Ｄ−を用いて示され得る。ＵＳＢを用いて端末が充電アダプタに接続された後に、充電アダプタは、ＵＳＢの第１の電極とＵＳＢの第２の電極との間に短絡回路接続を確立することが理解されるべきである。従って、プロセッサが、予め設定された電源管理ユニットを用いて第１のレベル信号をＵＳＢの第１の電極に印加した後、第１のレベル信号も、それに応じて、ＵＳＢの第２の電極上で得られる。通常の場合、プロセッサが、予め設定された期間の後にＵＳＢの第２の電極上の第２のレベル信号を検出した場合、第２のレベル信号の検出値は、第１のレベル信号の値と同じであるべきである。しかしながら、本発明において、充電アダプタのタイプが、対象高速充電プロトコルをサポートする高速充電アダプタであるかどうかを検出するために、プロセッサは、予め設定された電源管理ユニットを用いて、第１のレベル信号をＵＳＢの第１の電極に印加し、充電アダプタは、第１の電極と第２の電極との間の短絡回路接続を切断し、プルダウン抵抗器を用いて、第２の電極上の第１のレベル信号を第２のレベル信号へ調整する。調整された第２のレベル信号の値は、第１のレベル信号の値未満である。当然、第２のレベル信号の値は、代替的に０であり得、詳細は、本明細書において限定されない。言い換えれば、プロセッサによりＵＳＢの第２の電極上で検出される第２のレベル信号の検出値が第１のレベル信号の値未満である場合、充電アダプタのタイプは、対象高速充電プロトコルをサポートする高速充電アダプタである、と判断され得る。プロセッサによりＵＳＢの第２の電極上で検出される第２のレベル信号の検出値が第１のレベル信号の値と等しい場合、充電アダプタは、対象高速充電プロトコルをサポートしない充電アダプタである、と判断され得る。
【００７０】
任意選択で、いくつかの可能な実施形態において、プロセッサが、対象高速充電プロトコルに基づいて、連続通信機能を有する、充電アダプタへの通信リンクを確立する段階は、
プロセッサが、対象高速充電プロトコルに基づいて、通信リンクが正常に確立されているかどうかを検出するために用いられるサウンディング信号を充電アダプタへ送信する段階と、
充電アダプタによりサウンディング信号に応答して送信されたフィードバック信号を受信した場合、プロセッサが、連続通信機能を有する、充電アダプタへの通信リンクを確立する段階と
を含む。
【００７１】
本実施形態において、実際の適用では、サウンディング信号は、プライマリデバイスピングであり得、フィードバック信号は、セカンダリデバイスピングであり得る。
【００７２】
任意選択で、いくつかの可能な実施形態において、端末は、第１のカウンタおよび第２のカウンタをさらに含む。  方法は、
プロセッサがフィードバック信号を受信しなかった場合、プロセッサが、第１の予め設定されたルールに基づいて第１のカウンタの値を上げる段階と、
プロセッサが、第１のカウンタにより現在記録されているカウントが第１の予め設定された閾値を超えているかどうかを判断し、是の場合、プロセッサが、第２の予め設定されたルールに基づいて第２のカウンタの値を上げる段階と、
プロセッサが、第２のカウンタにより現在記録されているカウントが第２の予め設定された閾値を超えているかどうかを判断し、是の場合、プロセッサがサウンディング信号を送信するのを止める段階と
をさらに含む。
【００７３】
さらに、第１のカウンタにより現在記録されているカウントが第１の予め設定された閾値を超えていない場合、プロセッサは、サウンディング信号を繰り返し送信する。
【００７４】
さらに、第２のカウンタにより現在記録されているカウントが第２の予め設定された閾値を超えていない場合、プロセッサは、初期化処理を実行するよう第１のカウンタを制御する。
【００７５】
本実施形態において、プロセッサが、第１の予め設定されたルールに基づいて第１のカウンタの値を上げる段階は、プロセッサが第１のカウンタの現在のカウントを１だけ上げる段階であり得る。例えば、現在のカウントが１である場合、プロセッサが現在のカウント１を１だけ上げた後に、第１のカウンタの値は、２に変えられる。プロセッサが、第２の予め設定されたルールに基づいて第２のカウンタの値を上げる段階は、プロセッサが第２のカウンタの現在のカウントを１だけ上げる段階であり得る。例えば、現在のカウントが２である場合、プロセッサが現在のカウント２を１だけ上げた後に、第２のカウンタの値は、３に変えられる。加えて、実際の適用では、第１の予め設定された閾値は５であり得、第２の予め設定された閾値は３であり得る。このことは、本明細書において限定されない。
【００７６】
プロセッサは、第１のカウンタの値を別の方式でさらに上げ得ることが理解されるべきである。例えば、プロセッサが１回目のフィードバック信号を受信しなかった場合、プロセッサは、第１のカウンタの現在のカウントを１だけ上げて、第１のカウントを取得する。プロセッサが２回目のフィードバック信号を受信しなかった場合、プロセッサは、第１のカウントを２だけ上げて、第２のカウントを取得する。プロセッサが３回目のフィードバック信号を受信しなかった場合、プロセッサは、第２のカウントを３だけ上げる。以下同様である。詳細は、ここでは改めて説明されない。
【００７７】
同様に、プロセッサは、第２のカウンタの値を別の方式でさらに上げ得る。用いられる方法は、第１のカウンタの値を上げるためにプロセッサにより用いられる方法と類似し得る。詳細は、ここでは改めて説明されない。
【００７８】
本実施形態において、第１のカウンタの値および第２のカウンタの値は、別の方式でさらに上げられ得ることが理解されるべきである。このことは、本明細書において限定されない。
【００７９】
任意選択で、いくつかの可能な実施形態において、端末は、第３のカウンタをさらに含む。  方法は、
プロセッサが、フィードバック信号を受信しなかった場合、プロセッサが、第３の予め設定されたルールに基づいて第３のカウンタの値を上げる段階と、
プロセッサが、第３のカウンタにより現在記録されているカウントが第３の予め設定された閾値を超えているかどうかを判断し、是の場合、プロセッサが、サウンディング信号を送信するのを止め、または、否の場合、プロセッサがサウンディング信号を繰り返し送信する段階と、
をさらに含む。
【００８０】
本実施形態において、プロセッサが、第３の予め設定されたルールに基づいて第３のカウンタの値を上げる段階は、プロセッサが第３のカウンタの現在のカウントを１だけ上げる段階であり得る。例えば、現在のカウントが１である場合、プロセッサが現在のカウント１を１だけ上げた後に、第３のカウンタの値が２に変えられる。加えて、実際の適用では、第３の予め設定された閾値は、１５であり得る。このことは、本明細書において限定されない。
【００８１】
プロセッサは、第３のカウンタの値を別の方式でさらに上げ得ることが理解されるべきである。用いられる方法は、第１のカウンタの値を上げるためにプロセッサにより用いられる方法と類似し得る。詳細は、ここでは改めて説明されない。
【００８２】
任意選択で、いくつかの可能な実施形態において、方法は、
第２のレベル信号の検出値が第１のレベル信号の値以上である場合、プロセッサが、充電アダプタのタイプは標準的な充電アダプタであると判断し、予め設定された標準的な充電手順を用いて充電アダプタと通信する段階
をさらに含む。
【００８３】
図４を参照すると、図４は、本発明の実施形態による充電方法の別の実施形態のフローチャートである。方法は、以下の段階を含む。
【００８４】
４０１：開始する。
【００８５】
４０２．バス電圧（Ｖｏｌｔａｇｅ  Ｂｕｓ、ＶＢＵＳ）が存在しているかどうかを判断し、是の場合、４０３を実行し、または、否の場合、段階４０２に戻る。
【００８６】
外部に接続されているデバイスが充電アダプタであるかどうかを判断する場合、端末はまず、ＵＳＢの電源ケーブルＶＢＵＳが存在しているかどうかを判断する必要がある。
【００８７】
４０３．外部に接続されているポートがＤＣＰであるかどうかを検出し、是の場合、段階４０４を実行し、または、否の場合、段階４１７を実行する。
【００８８】
４０４．第１のレベル信号をＤ＋に印加する。
【００８９】
端末は、外部に接続されているデバイスがＤＣＰの充電アダプタであることを検出した後、さらに、充電アダプタが、対象高速充電プロトコルをサポートする高速充電アダプタであるかどうかを検出する。対象高速充電プロトコルは、端末と充電アダプタとの間の連続通信機能をサポートする高速充電プロトコルである。従って、端末は、第１のレベル信号をＤ＋に印加してから、充電アダプタが対象高速充電プロトコルをサポートする高速充電アダプタであるかどうかを検証するために、充電アダプタのフィードバックを待機する。第１のレベル信号は、レベルＶＤＰ＿ＳＲＣであり得る。
【００９０】
端末は、電源管理ユニットをさらに含み得ることに留意すべきである。端末は、第１のレベル信号をＤ＋に印加するよう電源管理ユニットに命令し得る。
【００９１】
４０５．予め設定された期間待機する。
【００９２】
端末が第１のレベル信号をＤ＋に印加した後に、充電アダプタの側の対応する論理ユニットは、第１のレベル信号に基づいて、対応するフィードバックを提供する。従って、端末がＤ−の第２のレベル信号を検出した場合、対応する遅延が必要とされる。予め設定された期間は、Ｔｓｅｔｔｌｅであり得る。本発明の本実施形態において、Ｔｓｅｔｔｌｅは、１ミリ秒であり得る。
【００９３】
４０６．Ｄ−の第２のレベル信号の検出値が第１のレベル信号の値未満であるかどうかを検出し、是の場合、段階４０７を実行し、または、否の場合、段階４１７を実行する。
【００９４】
端末が第１のレベルをＤ＋に印加した後に、充電アダプタ側の対応する論理ユニット、Ｄ＋とＤ−との間の短絡回路接続を切断し、プルダウン抵抗器を用いてＤ−の第１のレベル信号を第２のレベル信号へ調整する。第２のレベル信号の検出値は、０であり得る。詳細は、本明細書において限定されない。
【００９５】
端末は、ピア充電アダプタが取り外されていることを検出するまで、レベルＶＤＰ＿ＳＲＣをＤ＋に絶え間なく印加することに留意すべきである。
【００９６】
４０７．対象高速充電プロトコルを有効にする。
【００９７】
第２のレベル信号の検出値が第１のレベル信号の値未満である場合、端末は、充電アダプタのタイプは、対象高速充電プロトコルをサポートする高速充電アダプタである、と判断する。
【００９８】
４０８．再試行カウンタをリセットする。
【００９９】
４０９．ピングカウンタをリセットする。
【０１００】
ピングカウンタは第１のカウンタであり、再試行カウンタは第２のカウンタである。
【０１０１】
段階４０８および段階４０９を実行する順番に関する要件はないことが理解されるべきである。ピングカウンタがまずリセットされ得、次に、再試行カウンタがリセットされる。詳細は、本明細書において限定されない。
【０１０２】
４１０．プライマリデバイスピングを送信する。
【０１０３】
対象高速充電プロトコルを有効化にした後に、端末は、端末と充電アダプタとの間の、Ｄ−信号ケーブルにより保持される通信チャネルが正常に確立され得るかどうかを検証することが必要である。従って、端末は、充電アダプタをピングする必要がある。
【０１０４】
４１１．セカンダリデバイスピングが受信されているかどうかを判断し、是の場合、段階４１８を実行し、または、否の場合、段階４１２を実行する。
【０１０５】
端末により送信されたプライマリデバイスピングを受信する場合、それに応じて、充電アダプタは、セカンダリデバイスピングを端末にフィードバックする。充電アダプタによりフィードバックされたセカンダリデバイスピングを受信しなかった場合、端末は、プライマリデバイスピングを充電アダプタへ改めて送信し得る。
【０１０６】
４１２．ピングカウンタの値を次第に上げる。
【０１０７】
プライマリデバイスピングを高速充電アダプタへ送信した後に、端末が、充電アダプタにより送信されたプライマリデバイスピングを受信しなかった場合、端末は、ピングカウンタの値を１だけ上げ得る。
【０１０８】
当然、代替的に、端末は、プライマリデバイスピングを高速充電アダプタへ送信するたびにピングカウンタの値を１だけ上げ得ると共に、充電アダプタにより送信されたプライマリデバイスピングを受信した後に、ピングカウンタの値を１だけ下げる。詳細は、本明細書において限定されない。
【０１０９】
４１３．ピングカウンタの値が５超であるかどうかを判断し、是の場合、段階４１４を実行し、または、否の場合、段階４１０に戻る。
【０１１０】
プライマリデバイスピングを高速充電アダプタへ改めて送信する前に、端末は、ピングカウンタの値が第１の予め設定された閾値を超えているかどうかを判断する。第１の予め設定された閾値は、予め設定された値である。本発明の本実施形態において、第１の予め設定された閾値は、５に設定される。端末が、ピングカウンタの値は、５に達している、と判断した場合、高速充電端末デバイスは、再試行カウンタの値を１だけ上げ、再試行カウンタの値をさらに判断する。端末が、ピングカウンタの値は、５に達していない、と判断した場合、端末は、プライマリデバイスピングを充電アダプタへ送信し続ける。
【０１１１】
４１４．再試行カウンタの値を次第に上げる。
【０１１２】
端末は、ピングカウンタの値が５に達している、と判断した場合、ピングカウンタを初期化し、例えば、ピングカウンタを０にリセットし、再試行カウンタの値を１だけ上げ、かつ、再試行カウンタの値をさらに判断する必要がある。
【０１１３】
４１５．再試行カウンタの値が３超であるかどうかを判断し、是の場合、段階４１６を実行し、または、否の場合、段階４０９を実行する。
【０１１４】
端末は、再試行カウンタの値が第２の予め設定された閾値超であるかどうかを判断する。第２の予め設定された閾値は、予め設定された値でもある。本発明の本実施形態において、第２の閾値は、３に設定される。言い換えれば、端末は、再試行カウンタの値が３を超えている、と判断した場合、端末と充電アダプタとの間の、Ｄ−信号ケーブルにより保持される通信チャネルは、正常に確立され得ない、と判断する。端末は、再試行カウンタの値は３を超えていない、と判断した場合、充電アダプタがセカンダリデバイスピングをフィードバックするまで、プライマリデバイスピングを充電アダプタへ送信し続ける。
【０１１５】
４１６．プライマリデバイスピングを送信するのを止める。
【０１１６】
端末は、再試行カウンタの値が３を超えている、と判断した場合、プライマリデバイスピングを送信するのを止め、端末と充電アダプタとの間の、Ｄ−信号ケーブルにより保持される通信チャネルは、正常に確立され得ない、と判断し、通常の充電手順に基づいて充電を実行し得る。
【０１１７】
４１７．標準的な充電手順を入力する。
【０１１８】
４１８．通信チャネルを用いて高速充電処理を制御する。
【０１１９】
本実施形態において、端末は、対象高速充電プロトコルを用いて、連続通信機能を有する、充電アダプタへの通信リンクを確立し、通信リンクを用いて、高速充電処理中にパラメータに対して精密な制御を実行することにより、充電の安全性を保証する。
【０１２０】
２：充電アダプタ側
【０１２１】
図５を参照すると、図５は、本発明の実施形態による充電方法の別の実施形態のフローチャートである。方法は、以下の段階を含む。
【０１２２】
５０１：コントローラが、端末により充電アダプタのタイプを検出するために印加される第１のレベル信号を第１の電極が有しているかどうかを検出する。
【０１２３】
本実施形態において、端末は、第１のレベル信号を第１の電極に印加する。第１のレベル信号は、充電アダプタのタイプを検出するために用いられる。
【０１２４】
５０２．コントローラが、第１のレベル信号が第１の電極に印加されていることを検出した場合、第１の電極と第２の電極との間の短絡回路接続を切断し、第２の電極のレベル信号を第１のレベル信号から、値が第１のレベル信号の値未満である第２のレベル信号へ調整する。
【０１２５】
本実施形態において、コントローラが第２の電極のレベル信号を第１のレベル信号から第２のレベル信号へ調整し、第２のレベル信号の値が第１のレベル信号の値未満である場合、端末は、第１のレベル信号の値および第２のレベル信号の値に基づいて、充電アダプタのタイプは、対象高速充電プロトコルをサポートする高速充電アダプタである、と判断し得る。
【０１２６】
本実施形態において、コントローラは、端末が、第１の電極上のレベル信号と第２の電極上のレベル信号とに基づいて、充電アダプタのタイプは対象高速充電プロトコルをサポートする高速充電アダプタであるかどうかを判断するように、第１の電極および第２の電極上のレベル信号を調整し、これにより、本発明の技術的解決手段を改善する。
【０１２７】
任意選択で、いくつかの可能な実施形態において、コントローラが第２の電極のレベル信号を第１のレベル信号から第２のレベル信号へ調整する段階の後に、方法は、
コントローラが、端末により送信されたサウンディング信号を受信する段階であって、サウンディング信号は、通信リンクが正常に確立されているかどうかを検出するために用いられる、段階と、
コントローラが、サウンディング信号に応答するためにフィードバック信号を端末へ送信することにより、連続通信機能を有する通信リンクを端末およびコントローラが確立するようにする段階と
をさらに含む。
【０１２８】
本実施形態において、実際の適用では、端末は、対象高速充電プロトコルに基づいて、プライマリデバイスピングを充電アダプタへ送信し得る。端末は、充電アダプタにより送信される、プライマリデバイスピングに対応するセカンダリデバイスピングを受信している場合、連続通信機能を有する、充電アダプタへの通信リンクを確立する。
【０１２９】
任意選択で、いくつからの可能な実施形態において、充電アダプタは、プルダウン抵抗器およびスイッチをさらに含み得る。プルダウン抵抗器は、スイッチを用いて第２の電極から分離される。コントローラが、第２の電極のレベル信号を第１のレベル信号から第２のレベル信号へ調整する段階は、コントローラが、スイッチを用いて、プルダウン抵抗器を第２の電極に接続し、プルダウン抵抗器を用いて、第２の電極のレベル信号を第１のレベル信号から第２のレベル信号へ調整する段階を含み得る。実際の適用では、第２のレベル信号の値は、０であり得る。
【０１３０】
図６を参照すると、図６は、本発明の実施形態による充電方法の別の実施形態のフローチャートである。方法は、以下の段階を含む。
【０１３１】
６０１：開始する。
【０１３２】
６０２．５ＶをＶＢＵＳに印加し、Ｄ＋とＤ−との間に短絡回路接続を確立する。
【０１３３】
充電アダプタは、ＵＳＢのＶＢＵＳを用いて端末に接続された後に、ＵＳＢのＤ＋とＤ−との間に短絡回路接続を確立し、５Ｖのレベル信号をＵＳＢのＶＢＵＳに印加する。
【０１３４】
６０３．第１のレベル信号がＤ＋に印加されているかどうかを検出し、是の場合、段階６０４を実行する。
【０１３５】
充電アダプタは、端末により充電アダプタのタイプを検出するために印加される第１のレベル信号をＤ＋が有しているかどうかを検出し、否の場合、検出を実行し続ける。
【０１３６】
６０４．Ｄ＋とＤ−との間の短絡回路接続を切断し、プルダウン抵抗器を用いて、Ｄ−のレベル信号を第１のレベル信号から第２のレベル信号へ調整する。
【０１３７】
実際の回路において、充電アダプタは、プルダウン抵抗器およびスイッチをさらに含み得る。プルダウン抵抗器は、スイッチを用いてＤ−から分離される。
【０１３８】
充電アダプタは、第１のレベル信号がＤ＋に印加されていることを検出した場合、Ｄ＋とＤ−との間の短絡回路接続を切断する。次に、充電アダプタは、スイッチを用いて、プルダウン抵抗器をＤ−に接続し、プルダウン抵抗器を用いて、Ｄ−のレベル信号を第１のレベル信号から第２のレベル信号へ調整し得る。
【０１３９】
６０５．プライマリデバイスピングを受信する。
【０１４０】
端末により送信されたサウンディング信号が受信される。サウンディング信号は、通信チャネルが正常に確立されているかどうかを検出するために用いられるプライマリデバイスピングであり得る。
【０１４１】
６０６．セカンダリデバイスピングを送信する。
【０１４２】
端末により送信されたプライマリデバイスピングが受信された後に、セカンダリデバイスピングが端末にフィードバックされることにより、端末は、連続通信機能を有する、充電アダプタへの通信チャネルを確立する。
【０１４３】
本実施形態において、充電アダプタは、端末が、Ｄ＋のレベル信号とＤ−のレベル信号とに基づいて、充電アダプタのタイプは、対象高速充電プロトコルをサポートする高速充電アダプタであるかどうかを判断するように、Ｄ＋およびＤ−のレベル信号を調整し、これにより、本発明の技術的解決手段を改善する。
【０１４４】
３：端末と充電アダプタとの間のインタラクション側
【０１４５】
図７を参照すると、図７は、本発明の実施形態による充電方法の別の実施形態のフローチャートである。方法は、以下の段階を含む。
【０１４６】
７０１：プロセッサが第１のレベル信号を第１の電極に印加する。
【０１４７】
７０２．コントローラが、第１のレベル信号が第１の電極に印加されているかどうかを検出する。
【０１４８】
７０３．コントローラが、第１のレベル信号が第１の電極に印加されていることを検出した後に、第１の電極と第２の電極との間の短絡回路接続を切断し、プルダウン抵抗器を用いて、第２の電極のレベル信号を第１のレベル信号から第２のレベル信号へ調整する。
【０１４９】
７０４．プロセッサが、第１のレベル信号の値未満である、第２の電極上の第２のレベル信号の検出値を取得するために、第２のレベル信号を予め設定された期間の後に検出する。
【０１５０】
７０５．プロセッサが、充電アダプタのタイプは、対象高速充電プロトコルをサポートする高速充電アダプタである、と判断する。
【０１５１】
７０６．プロセッサが、対象高速充電プロトコルに基づいて、サウンディング信号を充電アダプタへ送信する。
【０１５２】
７０７．コントローラが、サウンディング信号に応答するためにフィードバック信号をプロセッサへ送信する。
【０１５３】
７０８．コントローラが、フィードバック信号に基づいて、連続通信機能を有する通信リンクを確立する。
【０１５４】
プロセッサは、ＵＳＢを用いてコントローラに予め接続されることが理解されるべきである。加えて、本実施形態における段階の関連する説明については、上述の実施形態を参照されたい。詳細は、ここでは改めて説明されない。
【０１５５】
加えて、充電の安全性を保証するために、本実施形態において、端末が充電アダプタから分離されている場合、検出がさらに実行される。つまり、分離検出が実行される。具体的には、端末が高速充電アダプタから分離されている場合、端末および充電アダプタは、それぞれのインタフェースおよび設定を復元する。分離検出は、信号検出およびプロトコル検出という２つのタイプの検出を含む。信号検出のみがサポートされ得るか、または２つのタイプの検出の両方がサポートされ得る。詳細は、本明細書において限定されない。
【０１５６】
信号検出中、端末は、ＶＢＵＳの分離を検出し得、高速充電アダプタは、第１の電極上のレベル信号の値が基準レベル閾値未満であるかどうかを検出し得る。
【０１５７】
プロトコル検出中、端末は、サウンディング信号を充電アダプタへ送信し、充電アダプタの応答を検出し得る。充電アダプタは、ウォッチドッグメカニズムを用いて、端末からのサウンディング信号が絶え間なく受信されているかどうかを検出し得る。
【０１５８】
上記は、本発明の実施形態における充電方法を説明しており、以下では、本発明の実施形態における端末を説明する。
【０１５９】
図８を参照すると、図８は、本発明の実施形態による端末の実施形態の模式図である。  端末は、
ＵＳＢポート８０１と、プロセッサ８０２と、論理回路８０３とを含み、
プロセッサ８０２および論理回路８０３はそれぞれ、ＵＳＢポート８０１に連結され、
論理回路８０３は、対象高速充電プロトコルをサポートし、
プロセッサ８０２は、論理回路８０３に接続され、
ＵＳＢポート８０１は、充電アダプタに接続するように構成され、
対象高速充電プロトコルは、端末と充電アダプタとの間の連続通信機能をサポートする高速充電プロトコルであり、
プロセッサ８０２は、
ＵＳＢポート８０１を用いて充電アダプタのタイプを検出し、かつ、
充電アダプタのタイプは、対象高速充電プロトコルをサポートする高速充電アダプタであることを検出した場合、対象高速充電プロトコルに基づいて、連続通信機能を有する、充電アダプタへの通信リンクを確立し、通信リンクを用いて、充電アダプタが端末を高速充電する処理を制御する
ように構成される。
【０１６０】
本実施形態において、プロセッサ８０２は、対象高速充電プロトコルに基づいて、連続通信機能を有する、充電アダプタへの通信リンクを確立し、通信リンクを用いて、高速充電処理中にパラメータに対して精密な制御を実行することにより、充電の安全性を保証する。
【０１６１】
プロセッサ８０２の具体的な機能については、図３または図４に示される方法の実施形態を参照されたい。詳細は、ここでは改めて説明されない。
【０１６２】
いくつかの任意選択の実施形態において、ＵＳＢポート８０１は、第１の電極および第２の電極を含み、
プロセッサ８０２はさらに、
第１のレベル信号を第１の電極に印加し、
第２の電極上の第２のレベル信号の検出値を取得するために、第２のレベル信号を予め設定された期間の後に検出し、かつ、
第２のレベル信号の検出値が第１のレベル信号の値未満である場合、充電アダプタのタイプは、対象高速充電プロトコルをサポートする高速充電アダプタである、と判断する
ように構成される。
【０１６３】
いくつかの他の任意選択の実施形態において、プロセッサ８０２はさらに、対象高速充電プロトコルを有効にし、
対象高速充電プロトコルに基づいて、通信リンクが正常に確立されているかどうかを検出するために用いられるサウンディング信号を充電アダプタへ送信し、かつ、
充電アダプタによりサウンディング信号に応答して送信されたフィードバック信号が受信された場合、連続通信機能を有する、充電アダプタへの通信リンクを確立する
ように構成される。
【０１６４】
いくつかの他の任意選択の実施形態において、端末は、第１のカウンタおよび第２のカウンタをさらに含み、
プロセッサ８０２はさらに、
フィードバック信号が受信されなかった場合、第１の予め設定されたルールに基づいて第１のカウンタの値を上げ、
第１のカウンタにより現在記録されているカウントが第１の予め設定された閾値を超えているかどうかを判断し、是の場合、第２の予め設定されたルールに基づいて第２のカウンタの値を上げ、かつ、
第２のカウンタにより現在記録されているカウントが第２の予め設定された閾値を超えているかどうかを判断し、是の場合、サウンディング信号を送信するのを止める
ように構成される。
【０１６５】
いくつかの他の任意選択の実施形態において、プロセッサ８０２はさらに、第１のカウンタにより現在記録されているカウントが第１の予め設定された閾値を超えていない場合、サウンディング信号を繰り返し送信するように構成される。
【０１６６】
いくつかの他の任意選択の実施形態において、プロセッサ８０２はさらに、
第２のカウンタにより現在記録されているカウントが第２の予め設定された閾値を超えていない場合、初期化処理を実行するよう第１のカウンタを制御する
ように構成される。
【０１６７】
いくつかの他の任意選択の実施形態において、プロセッサ８０２はさらに、
対象高速充電プロトコルに基づいてサウンディング信号を充電アダプタへ送信する前に、第１のカウンタと第２のカウンタとを別々に初期化するように構成される。
【０１６８】
いくつかの他の任意選択の実施形態において、端末は、第３のカウンタをさらに含み、
プロセッサ８０２はさらに、
フィードバック信号が受信されなかった場合、第３の予め設定されたルールに基づいて第３のカウンタの値を上げ、かつ、
第３のカウンタにより現在記録されているカウントが第３の予め設定された閾値を超えているかどうかを判断し、是の場合、サウンディング信号を送信するのを止め、または、否の場合、サウンディング信号を繰り返し送信する
ように構成される。
【０１６９】
いくつかの他の任意選択の実施形態において、プロセッサはさらに、
第２のレベル信号の検出値が第１のレベル信号の値以上である場合、充電アダプタのタイプは標準的な充電アダプタであると判断し、予め設定された標準的な充電手順を用いて充電アダプタと通信するように構成される。
【０１７０】
上記は、本発明の実施形態における端末を説明しており、以下では、本発明の実施形態における充電アダプタを説明する。
【０１７１】
図９を参照すると、図９は、本発明の実施形態による充電アダプタの実施形態の模式図である。  充電アダプタであって、
ユニバーサルシリアルバスＵＳＢポート９０１と、コントローラ９０２と、論理回路９０３とを含み、
コントローラ９０２および論理回路９０３はそれぞれ、ＵＳＢポート９０１に連結され、
論理回路９０３は、対象高速充電プロトコルをサポートし、
コントローラ９０２は、論理回路９０３に接続され、
ＵＳＢポート９０１は、端末に接続するように構成され、
ＵＳＢポート９０１は、第１の電極９０１１および第２の電極９０１２を含み、
第１の電極９０１１と第２の電極９０１２との間には短絡回路接続が存在し、
対象高速充電プロトコルは、端末と充電アダプタとの間の連続通信機能をサポートする高速充電プロトコルであり、
コントローラ９０２は、端末により充電アダプタのタイプを検出するために印加される第１のレベル信号を第１の電極９０１１が有しているかどうかを検出し、第１のレベル信号が第１の電極９０１１に印加されていることを検出した場合、第１の電極９０１１と第２の電極９０１２との間の短絡回路接続を切断し、第２の電極９０１２のレベル信号を第１のレベル信号から第２のレベル信号へ調整することにより、端末が、第１のレベル信号の値と、第１のレベル信号の値未満である、第２のレベル信号の値とに基づいて、充電アダプタのタイプは、対象高速充電プロトコルをサポートする高速充電アダプタである、と判断するようにする
ように構成される。
【０１７２】
本実施形態において、コントローラ９０２は、端末が、第１の電極９０１１上のレベル信号と第２の電極９０１２上のレベル信号とに基づいて、充電アダプタのタイプは対象高速充電プロトコルをサポートする高速充電アダプタであるかどうかを判断するように、第１の電極９０１１および第２の電極９０１２上のレベル信号を調整し、これにより、本発明の技術的解決手段を改善する。
【０１７３】
コントローラ９０２の具体的な機能については、図５または図６に示される方法の実施形態を参照されたい。詳細は、ここでは改めて説明されない。
【０１７４】
いくつかの任意選択の実施形態において、コントローラ９０２はさらに、
第２の電極９０１２のレベル信号を第１のレベル信号から第２のレベル信号へ調整した後に、通信リンクが正常に確立されているかどうかを検出するために用いられる、端末により送信されたサウンディング信号を受信し、サウンディング信号に応答するためにフィードバック信号を端末へ送信することにより、端末およびコントローラ９０２が連続通信機能を有する通信リンクを確立するようにする
ように構成される。
【０１７５】
いくつかの他の任意選択の実施形態において、充電アダプタは、プルダウン抵抗器およびスイッチをさらに含み、
プルダウン抵抗器は、スイッチを用いて第２の電極９０１２から分離され、
コントローラ９０２はさらに、スイッチを用いて、プルダウン抵抗器を第２の電極９０１２に接続し、プルダウン抵抗器を用いて、第２の電極９０１２のレベル信号を第１のレベル信号から第２のレベル信号へ調整するように構成される。
【０１７６】
簡便かつ簡潔な説明を目的として、上述のシステム、装置およびユニットの詳細な動作プロセスについては、上述の方法の実施形態における対応するプロセスを参照されたいことが、当業者には明確に理解され得る。詳細は、ここでは改めて説明されない。
【０１７７】
本願において提供されるいくつかの実施形態において、開示されたシステム、装置および方法は、他の方式で実装され得ることが理解されるべきである。例えば、説明されている装置の実施形態は、一例に過ぎない。例えば、ユニットの分割は、論理的機能の分割に過ぎず、実際の実装では他の分割であってよい。例えば、複数のユニットまたはコンポーネントが組み合わされるかまたは別のシステムに統合されてよく、いくつかの特徴が無視されても実行されなくてもよい。加えて、表示または説明された相互結合もしくは直接結合または通信接続は、いくつかのインタフェースを用いて実装されてよい。装置間またはユニット間の間接的な結合または通信接続は、電子的、機械的または他の形式で実装されてよい。
【０１７８】
別個の部分として説明されたユニットは、物理的に離れていてもいなくてもよく、ユニットとして表示された部分は、物理的なユニットであってもそうでなくてもよく、１箇所に配置されてもよく、複数のネットワークユニットに分散されてもよい。当該ユニットのいくつかまたは全てが、実施形態の解決手段の目的を達成するための実際の要件に基づいて選択されてよい。
【０１７９】
加えて、本発明の実施形態における機能ユニットが１つの処理ユニットに統合されてよく、これらのユニットの各々が物理的に単独で存在してもよく、２つまたはそれより多くのユニットが１つのユニットに統合されてもよい。統合されたユニットは、ハードウェア形式で実装されてよく、または、ソフトウェア機能ユニット形式で実装されてもよい。
【０１８０】
統合されたユニットがソフトウェア機能ユニットの形態で実装され、独立した製品として販売または使用される場合、統合されたユニットは、コンピュータ可読記憶媒体に記憶されてよい。そのような理解に基づいて、本発明の技術的解決手段は本質的に、または、従来技術に寄与する部分または技術的解決手段の全部もしくは一部は、ソフトウェア製品の形態で実装されてよい。ソフトウェア製品は、記憶媒体に記憶され、本発明の実施形態において説明された方法の段階の全部または一部を実行するようコンピュータデバイス（パーソナルコンピュータ、サーバまたはネットワークデバイスであってよい）に命令するためのいくつかの命令を含む。上述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスクなど、プログラムコードを記憶し得る任意の媒体を含む。
【０１８１】
上述の実施形態は、本発明の技術的解決手段を説明することを意図しているに過ぎず、本発明を限定することを意図していない。本発明は上述の実施形態に関して詳細に説明されているが、当業者であれば、本発明の実施形態の技術的解決手段の趣旨および範囲から逸脱することなく、上述の実施形態において説明された技術的解決手段に対してさらに修正を行い得るか、またはそれらのいくつかの技術的特徴に対して均等な置き換えを行い得ることを理解するはずである。
【図１】
2019534672.tif 000004
【図２】
2019534672.tif 000005
【図３】
2019534672.tif 000006
【図４】
2019534672.tif 000007
【図５】
2019534672.tif 000008
【図６】
2019534672.tif 000009
【図７】
2019534672.tif 000010
【図８】
2019534672.tif 000011
【図９】
2019534672.tif 000012
【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
端末の高速充電処理において用いられる充電方法であって、
前記端末は、ユニバーサルシリアルバスポート（ＵＳＢポート）と、プロセッサと、論理回路とを備え、
前記プロセッサおよび前記論理回路はそれぞれ、前記ＵＳＢポートに連結され、
前記論理回路は、対象高速充電プロトコルをサポートし、
前記プロセッサは、前記論理回路に接続され、
前記ＵＳＢポートは、充電アダプタに接続するように構成され、
前記対象高速充電プロトコルは、前記端末と前記充電アダプタとの間の持続通信機能をサポートする高速充電プロトコルであり、
前記方法は、
前記プロセッサが、前記ＵＳＢポートを介して前記充電アダプタのタイプを検出する段階と、
前記充電アダプタの前記タイプは、前記対象高速充電プロトコルをサポートする高速充電アダプタである、という前記検出に応答して、前記プロセッサが、前記対象高速充電プロトコルに基づいて、前記充電アダプタへの持続通信リンクを確立し、前記持続通信リンクを介して、前記充電アダプタが前記端末を高速充電する処理を制御する段階と
を備える方法。
【請求項２】
前記ＵＳＢポートは、第１の電極および第２の電極を有し、
前記プロセッサが、前記ＵＳＢポートを介して前記充電アダプタのタイプを検出する前記段階は、
前記プロセッサが第１のレベル信号を前記第１の電極に印加する段階と、
前記プロセッサが、前記第２の電極上の第２のレベル信号の検出値を取得するために、前記第２のレベル信号を予め設定された期間の後に検出する段階と、
前記第２のレベル信号の前記検出値が前記第１のレベル信号の値未満である場合、前記プロセッサが、前記充電アダプタの前記タイプは、前記対象高速充電プロトコルをサポートする高速充電アダプタである、と判断する段階と
を有する、
請求項１に記載の方法。
【請求項３】
前記プロセッサが、前記対象高速充電プロトコルに基づいて、前記充電アダプタへの持続通信リンクを確立する前記段階は、
前記プロセッサが、前記対象高速充電プロトコルに基づいて、前記持続通信リンクが正常に確立されているかどうかを検出するために用いられるサウンディング信号を前記充電アダプタへ送信する段階と、
前記充電アダプタにより前記サウンディング信号に応答して送信されたフィードバック信号を受信した場合、前記プロセッサが、前記持続通信機能を有する、前記充電アダプタへの前記持続通信リンクを確立する段階と
有する、
請求項１または２に記載の方法。
【請求項４】
前記端末は、第１のカウンタおよび第２のカウンタをさらに備え、
前記方法は、
前記プロセッサが前記フィードバック信号を受信しなかった場合、前記プロセッサが、第１の予め設定されたルールに基づいて前記第１のカウンタの値を上げる段階と、
前記プロセッサが、前記第１のカウンタにより現在記録されているカウントが第１の予め設定された閾値を超えているかどうかを判断し、前記第１のカウンタにより現在記録されている前記カウントが前記第１の予め設定された閾値を超えている場合、前記プロセッサが、第２の予め設定されたルールに基づいて前記第２のカウンタの値を上げる段階と、
前記プロセッサが、前記第２のカウンタにより現在記録されているカウントが第２の予め設定された閾値を超えているかどうかを判断し、前記第２のカウンタにより現在記録されている前記カウントが前記第２の予め設定された閾値を超えている場合、前記プロセッサが前記サウンディング信号を送信するのを止める段階と
をさらに備える、
請求項３に記載の方法。
【請求項５】
前記第１のカウンタにより現在記録されている前記カウントが前記第１の予め設定された閾値を超えていない場合、前記プロセッサが前記サウンディング信号を繰り返し送信する段階
をさらに備える、請求項４に記載の方法。
【請求項６】
前記第２のカウンタにより現在記録されている前記カウントが前記第２の予め設定された閾値を超えていない場合、前記プロセッサが、初期化処理を実行するよう前記第１のカウンタを制御する段階
をさらに備える、請求項５に記載の方法。
【請求項７】
前記プロセッサが、前記対象高速充電プロトコルに基づいてサウンディング信号を前記充電アダプタへ送信する前記段階の前に、
前記プロセッサが前記第１のカウンタと前記第２のカウンタとを別々に初期化する段階
をさらに備える、請求項４に記載の方法。
【請求項８】
前記端末は、第３のカウンタをさらに備え、
前記方法は、
前記プロセッサが前記フィードバック信号を受信しなかった場合、前記プロセッサが、第３の予め設定されたルールに基づいて前記第３のカウンタの値を上げる段階と、
前記プロセッサが、前記第３のカウンタにより現在記録されているカウントが第３の予め設定された閾値を超えているかどうかを判断し、前記第３のカウンタにより現在記録されている前記カウントが前記第３の予め設定された閾値を超えている場合、前記プロセッサが前記サウンディング信号を送信するのを止め、または、前記第３のカウンタにより現在記録されている前記カウントが前記第３の予め設定された閾値を超えていない場合、前記プロセッサが前記サウンディング信号を繰り返し送信する段階と、
をさらに備える、
請求項３に記載の方法。
【請求項９】
前記第２のレベル信号の前記検出値が前記第１のレベル信号の前記値以上である場合、前記プロセッサが、前記充電アダプタの前記タイプは標準的な充電アダプタであると判断し、予め設定された標準的な充電手順を介して、前記充電アダプタと通信する段階
をさらに備える、請求項２に記載の方法。
【請求項１０】
充電アダプタが端末を高速充電する処理において用いられる充電方法であって、
前記充電アダプタは、ユニバーサルシリアルバスポート（ＵＳＢポート）と、コントローラと、論理回路とを備え、
前記コントローラおよび前記論理回路はそれぞれ、前記ＵＳＢポートに連結され、
前記論理回路は、対象高速充電プロトコルをサポートし、
前記コントローラは、前記論理回路に接続され、
前記ＵＳＢポートは、前記端末に接続するように構成され、
前記ＵＳＢポートは、第１の電極および第２の電極を有し、
前記第１の電極と前記第２の電極との間には短絡回路接続が存在し、
前記対象高速充電プロトコルは、前記端末と前記充電アダプタとの間の持続通信機能をサポートする高速充電プロトコルであり、
前記方法は、
前記コントローラが、前記端末により前記充電アダプタのタイプを検出するために印加される第１のレベル信号を前記第１の電極が有しているかどうかを検出する段階と、
前記第１のレベル信号が前記第１の電極に印加されている、という前記検出に応答して、前記コントローラが、前記第１の電極と前記第２の電極との間の前記短絡回路接続を切断し、前記第２の電極のレベル信号を前記第１のレベル信号から第２のレベル信号へ調整する段階であって、前記第２のレベル信号の値は、前記第１のレベル信号の値未満である、段階と
を備える、
方法。
【請求項１１】
前記コントローラが前記第２の電極のレベル信号を前記第１のレベル信号から第２のレベル信号へ調整する前記段階の後に、
前記コントローラが、前記端末により送信されたサウンディング信号を受信する段階であって、前記サウンディング信号は、通信リンクが正常に確立されているかどうかを検出するために用いられる、段階と、
前記コントローラが、前記サウンディング信号に応答するためにフィードバック信号を前記端末へ送信することにより、前記持続通信機能を有する通信リンクを前記端末および前記コントローラが確立するようにする段階と
をさらに備える、請求項１０に記載の方法。
【請求項１２】
前記充電アダプタは、プルダウン抵抗器およびスイッチをさらに備え、
前記プルダウン抵抗器は、前記スイッチを用いて前記第２の電極から分離され、
前記コントローラが前記第２の電極のレベル信号を前記第１のレベル信号から第２のレベル信号へ調整する前記段階は、
前記コントローラが、前記スイッチを用いて、前記プルダウン抵抗器を前記第２の電極に電気的に接続し、前記プルダウン抵抗器を用いて、前記第２の電極の前記レベル信号を前記第１のレベル信号から前記第２のレベル信号へ調整する段階
を有する、
請求項１０または１１に記載の方法。
【請求項１３】
端末であって、
ユニバーサルシリアルバスポート（ＵＳＢポート）と、プロセッサと、論理回路とを備え、
前記プロセッサおよび前記論理回路はそれぞれ、前記ＵＳＢポートに連結され、
前記論理回路は、対象高速充電プロトコルをサポートし、
前記プロセッサは、前記論理回路に接続され、
前記ＵＳＢポートは、充電アダプタに接続するように構成され、
前記対象高速充電プロトコルは、前記端末と前記充電アダプタとの間の持続通信機能をサポートする高速充電プロトコルであり、
前記プロセッサは、
前記ＵＳＢポートを介して前記充電アダプタのタイプを検出し、かつ、
前記充電アダプタの前記タイプは、前記対象高速充電プロトコルをサポートする高速充電アダプタである、という前記検出に応答して、前記対象高速充電プロトコルに基づいて、前記持続通信機能を有する、前記充電アダプタへの通信リンクを確立し、前記通信リンクを介して、前記充電アダプタが前記端末を高速充電する処理を制御する
ように構成される、
端末。
【請求項１４】
前記ＵＳＢポートは、第１の電極および第２の電極を有し、
前記プロセッサはさらに、
第１のレベル信号を前記第１の電極に印加し、
前記第２の電極上の第２のレベル信号の検出値を取得するために、前記第２のレベル信号を予め設定された期間の後に検出し、かつ、
前記第２のレベル信号の前記検出値が前記第１のレベル信号の値未満である場合、前記充電アダプタの前記タイプは、前記対象高速充電プロトコルをサポートする高速充電アダプタである、と判断する
ように構成される、
請求項１３に記載の端末。
【請求項１５】
前記プロセッサはさらに、
前記対象高速充電プロトコルに基づいて、前記通信リンクが正常に確立されているかどうかを検出するために用いられるサウンディング信号を前記充電アダプタへ送信し、
前記充電アダプタにより前記サウンディング信号に応答して送信されたフィードバック信号が受信された場合、前記持続通信機能を有する、前記充電アダプタへの前記通信リンクを確立する
ように構成される、
請求項１３または１４に記載の端末。
【請求項１６】
前記端末は、第１のカウンタおよび第２のカウンタをさらに備え、
前記プロセッサはさらに、
前記フィードバック信号が受信されなかった場合、第１の予め設定されたルールに基づいて前記第１のカウンタの値を上げ、
前記第１のカウンタにより現在記録されているカウントが第１の予め設定された閾値を超えているかどうかを判断し、前記第１のカウンタにより現在記録されている前記カウントが前記第１の予め設定された閾値を超えている場合、第２の予め設定されたルールに基づいて前記第２のカウンタの値を上げ、かつ、
前記第２のカウンタにより現在記録されているカウントが第２の予め設定された閾値を超えているかどうかを判断し、前記第２のカウンタにより現在記録されている前記カウントが前記第２の予め設定された閾値を超えている場合、前記サウンディング信号を送信するのを止める
ように構成される、
請求項１５に記載の端末。
【請求項１７】
前記プロセッサはさらに、前記第１のカウンタにより現在記録されている前記カウントが前記第１の予め設定された閾値を超えていない場合、前記サウンディング信号を繰り返し送信するように構成される、
請求項１６に記載の端末。
【請求項１８】
前記プロセッサはさらに、
前記第２のカウンタにより現在記録されている前記カウントが前記第２の予め設定された閾値を超えていない場合、初期化処理を実行するよう前記第１のカウンタを制御する
ように構成される、
請求項１７に記載の端末。
【請求項１９】
前記プロセッサはさらに、
前記対象高速充電プロトコルに基づいて前記サウンディング信号を前記充電アダプタへ送信する前に、前記第１のカウンタと前記第２のカウンタとを別々に初期化する
ように構成される、
請求項１６に記載の端末。
【請求項２０】
前記端末は、第３のカウンタをさらに備え、
前記プロセッサはさらに、
前記フィードバック信号が受信されなかった場合、第３の予め設定されたルールに基づいて前記第３のカウンタの値を上げ、かつ、
前記第３のカウンタにより現在記録されているカウントが第３の予め設定された閾値を超えているかどうかを判断し、前記第３のカウンタにより現在記録されている前記カウントが前記第３の予め設定された閾値を超えている場合、前記サウンディング信号を送信するのを止め、または、前記第３のカウンタにより現在記録されている前記カウントが前記第３の予め設定された閾値を超えていない場合、前記サウンディング信号を繰り返し送信する
ように構成される、
請求項１５に記載の端末。
【請求項２１】
前記プロセッサはさらに、
前記第２のレベル信号の前記検出値が前記第１のレベル信号の前記値以上である場合、前記充電アダプタの前記タイプは標準的な充電アダプタであると判断し、予め設定された標準的な充電手順を介して前記充電アダプタと通信する
ように構成される、
請求項１４に記載の端末。
【請求項２２】
充電アダプタであって、
ユニバーサルシリアルバスポート（ＵＳＢポート）と、コントローラと、論理回路とを備え、
前記コントローラおよび前記論理回路はそれぞれ、前記ＵＳＢポートに連結され、
前記論理回路は、対象高速充電プロトコルをサポートし、
前記コントローラは、前記論理回路に接続され、
前記ＵＳＢポートは、端末に接続するように構成され、
前記ＵＳＢポートは、第１の電極および第２の電極を有し、
前記第１の電極と前記第２の電極との間には短絡回路接続が存在し、
前記対象高速充電プロトコルは、前記端末と前記充電アダプタとの間の持続通信機能をサポートする高速充電プロトコルであり、
前記コントローラは、前記端末により前記充電アダプタのタイプを検出するために印加される第１のレベル信号を前記第１の電極が有しているかどうかを検出し、前記第１のレベル信号が前記第１の電極に印加されていることを検出した場合、前記第１の電極と前記第２の電極との間の前記短絡回路接続を切断し、前記第２の電極のレベル信号を前記第１のレベル信号から、値が前記第１のレベル信号の値未満である第２のレベル信号へ調整する
ように構成される、
充電アダプタ。
【請求項２３】
前記コントローラはさらに、
前記第２の電極の前記レベル信号を前記第１のレベル信号から前記第２のレベル信号へ調整した後に、通信リンクが正常に確立されているかどうかを検出するために用いられる、前記端末により送信されたサウンディング信号を受信し、前記サウンディング信号に応答するためにフィードバック信号を前記端末へ送信することにより、前記端末および前記コントローラが前記持続通信機能を有する通信リンクを確立するようにする
ように構成される、
請求項２２に記載の充電アダプタ。
【請求項２４】
前記充電アダプタは、プルダウン抵抗器およびスイッチをさらに備え、
前記プルダウン抵抗器は、前記スイッチを用いて前記第２の電極から分離され、
前記コントローラはさらに、
前記スイッチを用いて、前記プルダウン抵抗器を前記第２の電極に接続し、前記プルダウン抵抗器を介して、前記第２の電極の前記レベル信号を前記第１のレベル信号から前記第２のレベル信号へ調整する
ように構成される、
請求項２２または２３に記載の充電アダプタ。
【手続補正２】
【補正対象書類名】明細書
【補正対象項目名】全文
【補正方法】変更
【補正の内容】
【発明の詳細な説明】
【技術分野】
【０００１】
本願は、２０１６年１１月３日に中国特許庁に出願された、「充電方法、端末および充電アダプタ」と題する中国特許出願第ＣＮ２０１６１０９５８２５６．２号の優先権を主張する。当該出願は、参照により、その全体が本明細書に組み込まれる。
【０００２】
本願は、充電技術分野、特に、充電方法、端末および充電アダプタに関する。
【背景技術】
【０００３】
現在、携帯電話の電力消費は、従来の携帯電話と比較して、大幅に増えている。携帯電話には様々な用途があるので、携帯電話は実際には、はるかに長時間用いられている。携帯電話のバッテリの容量は従来の携帯電話と比較して比較的大幅に改善されているが、バッテリのエネルギー密度は大幅には改善されていないので、携帯電話の待機時間は概して、消費者の要求を満たし得ない。従って、携帯電話は、頻繁に充電される必要があり、従来技術においては、比較的長時間充電される。結果として、携帯電話は頻繁に充電される必要があり、充電には過度に長い時間が掛かるので、消費者は、携帯電話を用いる場合、非常に望ましくない体験をしている。
【０００４】
従来技術は、主に高速充電技術を用いて、携帯電話の待機時障害の問題を解決している。
【０００５】
しかしながら、既存の高速充電技術では、高速充電処理中にパラメータに対して精密な制御を実行するために用いられる利用可能な通信チャネルが、端末と充電アダプタとの間に存在しない。従って、充電の安全性が保証され得ない。
【発明の概要】
【０００６】
本願の実施形態は、端末と充電アダプタとの間に通信チャネルを確立することにより高速充電処理中にパラメータに対して精密な制御を実行する充電方法、端末および充電アダプタを提供し、これにより、充電の安全性を改善する。
【０００７】
本願の実施形態の第１の態様は、充電方法を提供する。方法は、端末の高速充電処理に適用され得る。端末は、ユニバーサルシリアルバス（Ｕｎｉｖｅｒｓａｌ  Ｓｅｒｉａｌ  Ｂｕｓ、ＵＳＢ）ポートと、プロセッサと、論理回路とを含む。プロセッサおよび論理回路はそれぞれ、ＵＳＢポートに連結されている。論理回路は、対象高速充電プロトコルをサポートし、プロセッサは、論理回路に接続され、ＵＳＢポートは、充電アダプタに接続するように構成され、既存の高速充電プロトコルとは異なり、対象高速充電プロトコルは、端末と充電アダプタとの間の持続通信機能をサポートする高速充電プロトコルである。方法は、プロセッサが、ＵＳＢポートを用いて充電アダプタのタイプを検出する段階と、充電アダプタのタイプは、対象高速充電プロトコルをサポートする高速充電アダプタであることを検出した場合、プロセッサが、対象高速充電プロトコルに基づいて、持続通信機能を有する、充電アダプタへの通信リンクを確立し、通信リンクを用いて、充電アダプタが端末を高速充電する処理を制御する段階とを含み得る。プロセッサが、対象高速充電プロトコルを用いて、持続通信機能を有する、充電アダプタへの通信リンクを確立し、通信リンクを用いて、高速充電処理中にパラメータに対して精密な制御を実行することにより、充電の安全性を改善することは、明らかである。
【０００８】
いくつかの可能な実装形態において、ＵＳＢポートは、第１の電極および第２の電極を含み得る。実際の適用では、第１の電極は、Ｄ＋を用いて示され得、第２の電極は、Ｄ−を用いて示され得る。  プロセッサが、ＵＳＢポートを用いて充電アダプタのタイプを検出することは、
プロセッサが、予め設定された電源管理ユニットを用いて第１のレベル信号を第１の電極に印加し得ることと、
プロセッサが、第２の電極上の第２のレベル信号の検出値を取得するために、第２のレベル信号を予め設定された期間の後に検出することと、
第２のレベル信号の検出値が第１のレベル信号の値未満である場合、プロセッサが、充電アダプタのタイプは、対象高速充電プロトコルをサポートする高速充電アダプタである、と判断する段階と
を含み得る。ＵＳＢを用いて端末が充電アダプタに接続された後に、充電アダプタは、ＵＳＢの第１の電極とＵＳＢの第２の電極との間に短絡回路接続を確立することが理解されるべきである。従って、プロセッサが、予め設定された電源管理ユニットを用いて第１のレベル信号をＵＳＢの第１の電極に印加した後、第１のレベル信号も、それに応じて、ＵＳＢの第２の電極上で得られる。通常の場合、プロセッサが、予め設定された期間の後にＵＳＢの第２の電極上の第２のレベル信号を検出した場合、第２のレベル信号の検出値は、第１のレベル信号の値と同じであるべきである。しかしながら、本願において、充電アダプタのタイプが、対象高速充電プロトコルをサポートする高速充電アダプタであるかどうかを検出するために、プロセッサは、予め設定された電源管理ユニットを用いて、第１のレベル信号をＵＳＢの第１の電極に印加し、充電アダプタは、第１の電極と第２の電極との間の短絡回路接続を切断し、プルダウン抵抗器を用いて、第２の電極上の第１のレベル信号を第２のレベル信号へ調整する。調整された第２のレベル信号の値は、第１のレベル信号の値未満である。当然、第２のレベル信号の値は、代替的に０であり得、詳細は、本明細書において限定されない。言い換えれば、プロセッサによりＵＳＢの第２の電極上で検出される第２のレベル信号の検出値が第１のレベル信号の値未満である場合、充電アダプタのタイプは、対象高速充電プロトコルをサポートする高速充電アダプタである、と判断され得る。プロセッサによりＵＳＢの第２の電極上で検出される第２のレベル信号の検出値が第１のレベル信号の値と等しい場合、充電アダプタは、対象高速充電プロトコルをサポートしない充電アダプタである、と判断され得る。
【０００９】
いくつかの他の可能な実装形態において、プロセッサが、対象高速充電プロトコルに基づいて、持続通信機能を有する、充電アダプタへの通信リンクを確立する段階は、
プロセッサが、対象高速充電プロトコルに基づいて、通信リンクが正常に確立されているかどうかを検出するために用いられるサウンディング信号を充電アダプタへ送信する段階と、
充電アダプタによりサウンディング信号に応答して送信されたフィードバック信号を受信した場合、プロセッサが、持続通信機能を有する、充電アダプタへの通信リンクを確立する段階と
を含み得る。実際の適用では、プロセッサは、対象高速充電プロトコルに基づいて、プライマリデバイスピングを充電アダプタへ送信し得る。プロセッサは、充電アダプタにより送信される、プライマリデバイスピングに対応するセカンダリデバイスピングを受信している場合、持続通信機能を有する、充電アダプタへの通信リンクを確立する。
【００１０】
いくつかの他の可能な実装形態において、端末は、第１のカウンタおよび第２のカウンタをさらに含み得る。  方法は、
プロセッサが、充電アダプタによりサウンディング信号に応答して送信されたフィードバック信号を受信しなかった場合、プロセッサが、第１の予め設定されたルールに基づいて、第１のカウンタの値を上げる、例えば、第１のカウンタの値を１だけ上げる段階と、
第１のカウンタにより記録されている回数が第１の予め設定された閾値を超えている場合、プロセッサが、第２の予め設定されたルールに基づいて、第２のカウンタの値を上げる、例えば、第２のカウンタの値を１だけ上げる段階と、
第２のカウンタにより記録されている回数が第２の予め設定された閾値を超えている場合、プロセッサが、サウンディング信号を送信するのを止める段階と
をさらに含み得る。実際の適用では、第１の予め設定された閾値は５であり得、第２の予め設定された閾値は３であり得る。このことは、本明細書ニオいて限定されない。さらに、第１のカウンタにより記録されている回数が第１の予め設定された閾値以下である場合、プロセッサは、サウンディング信号を繰り返し送信する。さらに、第２のカウンタにより記録されている回数が第２の予め設定された閾値以下である場合、プロセッサは、初期化処理を実行するよう第１のカウンタを制御する。
【００１１】
いくつかの他の可能な実装形態において、プロセッサが、対象高速充電プロトコルに基づいて、サウンディング信号を充電アダプタへ送信する段階の前に、方法は、
プロセッサが、第１のカウンタおよび第２のカウンタを別々に初期化する、例えば、第１のカウンタにより記録されている回数と、第２のカウンタにより記録されている回数とをリセットする段階
をさらに含む。
【００１２】
いくつかの他の可能な実装形態において、端末は、第３のカウンタをさらに含む。  方法は、
プロセッサが、フィードバック信号を受信しなかった場合、プロセッサが、第３の予め設定されたルールに基づいて第３のカウンタの値を上げる段階と、
プロセッサが、第３のカウンタにより現在記録されているカウントが第３の予め設定された閾値超であるかどうか、例えば、第３の予め設定された閾値が１５であるかどうかを判断し、是の場合、プロセッサが、サウンディング信号を送信するのを止め、または、否の場合、プロセッサがサウンディング信号を繰り返し送信する段階と、
をさらに含み得る。
【００１３】
いくつかの他の可能な実装形態において、第２のレベル信号の検出値が第１のレベル信号の値以上である場合、充電アダプタのタイプは、対象高速充電プロトコルをサポートしない高速充電アダプタであることを示す。方法は、プロセッサが、予め設定された標準的な充電手順を用いて充電アダプタと通信する段階をさらに含み得る。
【００１４】
本願の実施形態の第２の態様は、充電方法を提供する。方法は、充電アダプタが端末を高速充電する処理に適用され得る。充電アダプタは、ユニバーサルシリアルバス（ＵＳＢ）ポートと、コントローラと、論理回路とを含む。コントローラおよび論理回路はそれぞれ、ＵＳＢポートに連結される。論理回路は、対象高速充電プロトコルをサポートする。コントローラは、論理回路に接続され、ＵＳＢポートは、端末に接続するように構成され、ＵＳＢポートは、第１の電極および第２の電極を含み、第１の電極と第２の電極との間には、短絡回路接続が存在し、対象高速充電プロトコルは、端末と充電アダプタとの間の持続通信機能をサポートする高速充電プロトコルである。  方法は、
コントローラが、端末により充電アダプタのタイプを検出するために印加される第１のレベル信号を第１の電極が有しているかどうかを検出する段階と、
コントローラが、第１のレベル信号が第１の電極に印加されていることを検出した場合、コントローラが、第１の電極と第２の電極との間の短絡回路接続を切断し、端末が、第２の電極のレベル信号の値が第１の電極のレベル信号の値未満であることに基づいて、充電アダプタのタイプは、対象高速充電プロトコルをサポートする高速充電アダプタである、と判断するように、第２の電極のレベル信号を第１のレベル信号から、第２の電極での値が第１のレベル信号の値未満である第２のレベル信号へ調整する段階と
を含み得る。コントローラが、端末が、第１の電極上のレベル信号と第２の電極上のレベル信号とに基づいて、充電アダプタのタイプは対象高速充電プロトコルをサポートする高速充電アダプタであるかどうかを判断するように、第２の電極上のレベル信号を調整し、これにより、本願の技術的解決手段を改善することは、明らかである。
【００１５】
いくつかの可能な実装形態において、コントローラが第２の電極上のレベル信号を第１のレベル信号から第２のレベル信号へ調整する段階の後に、方法は、
コントローラが、端末により送信されたサウンディング信号を受信する段階であって、サウンディング信号は、通信リンクが正常に確立されているかどうかを検出するために用いられる、段階と、
コントローラが、サウンディング信号に応答するためにフィードバック信号を端末へ送信することにより、持続通信機能を有する通信リンクを端末およびコントローラが確立するようにする段階と
をさらに含む。実際の適用では、端末は、対象高速充電プロトコルに基づいて、プライマリデバイスピングを充電アダプタへ送信し得る。端末は、充電アダプタにより送信される、プライマリデバイスピングに対応するセカンダリデバイスピングを受信している場合、持続通信機能を有する、充電アダプタへの通信リンクを確立する。
【００１６】
いくつかの他の可能な実装形態において、充電アダプタは、プルダウン抵抗器およびスイッチをさらに含み得る。プルダウン抵抗器は、スイッチを用いて第２の電極から分離される。コントローラが、第２の電極上のレベル信号を第１のレベル信号から第２のレベル信号へ調整する段階は、コントローラが、スイッチを用いて、プルダウン抵抗器を第２の電極に接続し、プルダウン抵抗器を用いて、第２の電極のレベル信号を第１のレベル信号から第２のレベル信号へ調整する段階を含み得る。実際の適用では、第２のレベル信号の値は、０であり得る。
【００１７】
本願の実施形態の第３の態様は、端末を提供する。端末は、第１の態様または第１の態様の任意の任意選択の実装形態による方法の機能を実行するように構成される。端末は、ユニバーサルシリアルバス（ＵＳＢ）ポートと、プロセッサと、論理回路とを含み得る。プロセッサおよび論理回路はそれぞれ、ＵＳＢポートに連結される。論理回路は、対象高速充電プロトコルをサポートする。プロセッサは、論理回路に接続され、ＵＳＢポートは、充電アダプタに接続するように構成され、対象高速充電プロトコルは、端末と充電アダプタとの間の持続通信機能をサポートする高速充電プロトコルである。プロセッサは、対応する処理機能を実行するように構成される。
【００１８】
本願の実施形態の第４の態様は、充電アダプタを提供する。充電アダプタは、第２の態様または第２の態様の任意の任意選択の実装形態による方法の機能を実行するように構成される。充電アダプタは、ユニバーサルシリアルバス（ＵＳＢ）ポートと、コントローラと、論理回路とを含み得る。コントローラおよび論理回路はそれぞれ、ＵＳＢポートに連結される。論理回路は、対象高速充電プロトコルをサポートする。コントローラは、論理回路に接続され、ＵＳＢポートは、端末に接続するように構成され、ＵＳＢポートは、第１の電極および第２の電極を含み、第１の電極と第２の電極との間には、短絡回路接続が存在し、対象高速充電プロトコルは、端末と充電アダプタとの間の持続通信機能をサポートする高速充電プロトコルである。コントローラは、対応する制御機能を実行するように構成される。
【００１９】
本願の実施形態の技術的解決手段において、端末は、対象高速充電プロトコルを用いて、持続通信機能を有する、充電アダプタへの通信リンクを確立し、通信リンクを用いて、高速充電処理中にパラメータに対して精密な制御を実行することにより、充電の安全性を保証する。
【図面の簡単な説明】
【００２０】
【図１】本願の実施形態による端末および充電アダプタの実施形態のモジュールブロック図である。
【００２１】
【図２】本願の実施形態による端末および充電アダプタの実施形態の簡略モジュールブロック図である。
【００２２】
【図３】本願の実施形態による充電方法の実施形態のフローチャートである。
【００２３】
【図４】本願の実施形態による充電方法の別の実施形態のフローチャートである。
【００２４】
【図５】本願の実施形態による充電方法の別の実施形態のフローチャートである。
【００２５】
【図６】本願の実施形態による充電方法の別の実施形態のフローチャートである。
【００２６】
【図７】本願の実施形態による充電方法の別の実施形態のフローチャートである。
【００２７】
【図８】本願の実施形態による端末の実施形態の模式図である。
【００２８】
【図９】本願の実施形態による充電アダプタの実施形態の模式図である。
【発明を実施するための形態】
【００２９】
以下では、本願の実施形態の添付図面を参照して、本願の実施形態の技術的解決手段を明確に説明する。説明される実施形態は、本願の実施形態の全てではなく、一部に過ぎないことは明らかである。当業者により本願の実施形態に基づいて創造的な努力なく得られる全ての他の実施形態は、本願の保護範囲に含まれものとする。
【００３０】
本願の明細書、特許請求の範囲および添付図面において、「第１の」、「第２の」、「第３の」、「第４の」等の用語（存在する場合）は、類似する対象同士を区別することを意図しており、必ずしも特定の順序または順番を示すわけではない。そのような方式で称されるデータは、本明細書において説明される本願の実施形態が本明細書において示されるかまたは説明される順序以外の順序で実装され得るように、適切な状況において置き換え可能であることが理解されるべきである。さらに、「含む」、「包含する」およびあらゆる他の異形といった用語は、非排他的な包含を含むことを意味する。例えば、列挙される段階またはユニットを含む処理、方法、システム、製品またはデバイスは、必ずしもそれらのユニットに限定されるわけではなく、明確に列挙されていない、またはそのような処理、方法、システム、製品またはデバイスに固有の他のユニットを含んでよい。
【００３１】
高速充電技術は現在、携帯電話分野における競争の中心的事項のうちの１つである。高速充電技術は、携帯電話の待機時障害を完全に克服する方法ではないが、実行可能な選択肢であり、より速くより安全な充電処理を消費者に提供し得ると共に、利便性とより良い体験とをユーザにもたらし得る。以下の例は、２つの一般的な高速充電技術である。
【００３２】
［例１］
【００３３】
クアルコム（Ｑｕａｌｃｏｍｍ、ＱＣ）は、高速充電技術ＱＣ２．０／ＱＣ３．０を始めている。高速充電技術ＱＣ２．０において、充電アダプタは、ＵＳＢポートの電圧Ｄ＋およびＤ−を検出することにより、対応する電圧（表１に示される）を出力する。これは現在、比較的広く適用されている高速充電技術である。
【表１】
2019534672.tif 000013
【００３４】
ＱＣ２．０と比較して、ＱＣ３．０は、より精密な方式で出力電圧制御を実装し得る。ＱＣ３．０は、２００ＭＶの増分を工程として用い、３．６Ｖから２０Ｖの範囲の電圧オプションを提供する。
【００３５】
［例２］
【００３６】
ＭｅｄｉａＴｅｋ  Ｉｎｃ．（ＭｅｄｉａＴｅｋ  Ｉｎｃ．、ＭＴＫ）は、高速充電技術ＰＥ／ＰＥ＋を始めている。高速充電技術ＰＥ／ＰＥ＋において、充電アダプタは、ＵＳＢポートの電源ケーブルＶＢＵＳを検出することにより対応するパルスシーケンスを出力して、出力電圧を上げるか、または下げる。
【００３７】
しかしながら、既存の高速充電技術では、高速充電処理中にパラメータに対して精密な制御を実行するために用いられる利用可能な通信チャネルが、ほとんどの端末と充電アダプタとの間に存在しない。従って、充電の安全性が保証され得ない。
【００３８】
このことに基づいて、本願の実施形態は、端末と充電アダプタとの間に通信チャネルを確立することにより高速充電処理中にパラメータに対して精密な制御を実行する充電方法を提供し、これにより、充電の安全性を改善する。
【００３９】
図１を参照すると、図１は、本願の実施形態による端末および充電アダプタの実施形態のモジュールブロック図である。
【００４０】
本願の本実施形態における端末は、代替的にユーザ機器（Ｕｓｅｒ  Ｅｑｕｉｐｍｅｎｔ、ＵＥ）と称され、音声接続および／またはデータ接続をユーザに提供するデバイスであり、例えば、無線接続機能を有するハンドヘルドデバイスまたは車載デバイスである。一般的な端末は、例えば、携帯電話、タブレットコンピュータ、ノートブックコンピュータ、パームトップコンピュータ、モバイルインターネットデバイス（ｍｏｂｉｌｅ  Ｉｎｔｅｒｎｅｔ  ｄｅｖｉｃｅ、ＭＩＤ）、およびスマートウォッチ、スマートバンドまたは歩数計などのウェアラブルデバイスを含む。
【００４１】
本願の本実施形態における充電アダプタは、高速充電機能を有するだけでなく、高速充電処理中にパラメータに対して精密な制御も実行し得る充電アダプタである。
【００４２】
図１に示されるように、端末１０１は、ＢＣ１．２および高速充電プロトコル論理ユニット１０１１と、高速充電プロトコル検出論理ユニット１０１２と、割込論理ユニット１０１３と、制御インタフェース１０１４と、外部インタフェース１０１５とを含む。
【００４３】
ＢＣ１．２および高速充電プロトコル論理ユニット１０１１は、充電アダプタのタイプを検出するように構成され、さらに、対象高速充電プロトコルを有効にすることにより端末１０１と充電アダプタ１０２との間に通信チャネルを確立し、かつ、通信チャネルを用いて高速充電処理中にパラメータに対して精密な制御を実行することにより充電の安全性を保証するように構成される。対象高速充電プロトコルは、端末１０１と充電アダプタ１０２との間の持続通信機能をサポートする高速充電プロトコルである。
【００４４】
ＢＣ１．２はバッテリ充電（Ｂａｔｔｅｒｙ  Ｃｈａｒｇｉｎｇ、ＢＣ）の仕様であることに留意すべきである。バッテリ充電の仕様は、端末１０１に接続されている充電アダプタ１０２が、標準ダウンリンクポート（ＳＤＰ）、充電ダウンリンクポート（ＣＤＰ）、専用充電ポート（ＤＣＰ）等といったタイプのものであるかどうかを判断するための方法を定義する。
【００４５】
ＳＤＰポートでは、Ｄ＋ケーブルおよびＤ−ケーブルは、１５ｋΩのプルダウン抵抗器を有し、電流制限値は、ＳＤＰが停止されている場合には２．５ｍＡであり、ＳＤＰが接続されている場合には１００ｍＡであり、ＳＤＰが接続され、比較的高い電力で構成されている場合には５００ｍＡである。
【００４６】
ＣＤＰポートは、高電流充電だけでなく、ＵＳＢ２．０との十分な互換性があるデータ送信もサポートする。このポートは、Ｄ＋およびＤ−の通信により必要とされる１５ｋΩのプルダウン抵抗器を含み、充電器の検出段における切り替えのための内部回路も含む。内部回路は、ポータブルデバイスがＣＤＰを別のタイプのポートと区別することを可能にする。
【００４７】
ＤＣＰポートは、データ送信をサポートしないが、１．５Ａ超の電流を提供し得る。このポートのＤ＋ケーブルとＤ−ケーブルとの間には、短絡回路が存在する。そのようなポートは、ウォールチャージャーと、比較的強力な充電機能を有する自動車充電器とをサポートする。
【００４８】
高速充電プロトコル検出論理ユニット１０１２は、充電アダプタ１０２側の対象高速充電プロトコルを検出するように構成される。対象高速充電プロトコルは、高速充電処理中にパラメータに対して精密な制御を実行して充電の安全性を向上させるべく、端末１０１と充電アダプタ１０２との間に通信チャネルを確立するために用いられる。
【００４９】
割込論理ユニット１０１３は、割込要求（Ｉｎｔｅｒｒｕｐｔ  Ｒｅｑｕｅｓｔ、ＩＲＱ）を実行するように構成される。
【００５０】
コントローラインタフェース１０１４は、端末デバイス１０１のメインプロセッサと通信するよう、ＢＣ１．２および高速充電プロトコル論理ユニット１０１１にインタフェースを提供するように構成される。インタフェースは、例えば、クロック信号線ＳＣＬおよびデータ線ＳＤＡを含む集積回路間（Ｉｎｔｅｒ−Ｉｎｔｅｇｒａｔｅｄ  Ｃｉｒｃｕｉｔ、Ｉ２Ｃ）バスである。
【００５１】
外部インタフェース１０１５は、ＵＳＢポートなどの外部デバイスに接続するように構成される。ＵＳＢポートは、データ送信およびバッテリ充電を含む複数の機能を有する。
【００５２】
図１に示されるように、充電アダプタ１０２は、高速充電プロトコル論理ユニット１０２１、機能論理ユニット１０２２および外部インタフェース１０２３を含む。
【００５３】
高速充電プロトコル論理ユニット１０２１は、対象高速充電プロトコルを有効にして端末デバイス１０１と充電アダプタ１０２との間に通信チャネルを確立し、かつ、通信チャネルを用いて高速充電処理中にパラメータに対して精密な制御を実行することにより充電の安全性を保証するように構成される。
【００５４】
機能論理ユニット１０２２は、充電アダプタ１０２のいくつかの追加の機能を実行するように構成され、機能論理ユニット１０２２は、いくつかのレジスタを予め定義する。
【００５５】
外部インタフェース１０２３は、端末デバイス１０１に接続するように構成され、例えば、ＵＳＢポートである。
【００５６】
図１は、端末および充電アダプタの具体的なモジュールブロック図を示す。実施形態の説明を容易にするために、図１に基づいて、図２は、端末および充電アダプタの簡略モジュールブロック図である。
【００５７】
図２に示されるように、端末２０１は、論理回路２０１１、ＵＳＢポート２０１２およびプロセッサ２０１３を含む。論理回路２０１１は、図１に示されるＢＣ１．２および高速充電プロトコル論理ユニット１０１１の機能を実行するように構成される。ＵＳＢポート２０１２は、図１に示される端末のＤ＋およびＤ−と同等である。プロセッサ２０１３は、図１に示される高速充電プロトコル検出論理ユニット１０１２の機能を実行し得る。
【００５８】
充電アダプタ２０２は、論理回路２０２１、ＵＳＢポート２０２２およびコントローラ２０２３を含む。論理回路２０１１は、図１に示される高速充電プロトコル論理ユニット１０２１の機能を実行するように構成される。ＵＳＢポート２０２２は、図１に示される充電アダプタのＤ＋およびＤ−と同等である。コントローラ２０２３は、図１に示される機能論理ユニット１０２２の機能を実行し得る。
【００５９】
図２に示される端末および充電アダプタの簡略モジュールブロック図に基づいて、以下では、本具体的な実施形態を用いて、異なる観点から本願の実施形態における充電方法を説明する。
【００６０】
１．  端末側
【００６１】
図３を参照すると、図３は、本願の実施形態による充電方法の実施形態のフローチャートである。方法は、以下の段階を含む。
【００６２】
３０１：プロセッサが、ＵＳＢポートを用いて充電アダプタのタイプを検出する。
【００６３】
本実施形態において、プロセッサは、端末内にある。端末は、ＵＳＢポートと、プロセッサと、論理回路とを含み得る。プロセッサおよび論理回路はそれぞれ、ＵＳＢポートに連結されている。論理回路は、対象高速充電プロトコルをサポートし、プロセッサは、論理回路に接続され、ＵＳＢポートは、充電アダプタに接続するように構成され、対象高速充電プロトコルは、端末と充電アダプタとの間の持続通信機能をサポートする高速充電プロトコルである。
【００６４】
ＵＳＢを用いて端末が充電アダプタに接続された後、端末は、ピアデバイスのタイプを認識しないので、端末のプロセッサがＵＳＢポートを用いて充電アダプタのタイプを検出する必要があることが理解されるべきである。
【００６５】
３０２：プロセッサが、充電アダプタのタイプは、対象高速充電プロトコルをサポートする高速充電アダプタであることを検出した場合、プロセッサは、対象高速充電プロトコルに基づいて、持続通信機能を有する、充電アダプタへの通信リンクを確立し、通信リンクを用いて、充電アダプタが端末を高速充電する処理を制御する。
【００６６】
本実施形態において、プロセッサは、充電アダプタのタイプが標準的な充電アダプタであることを検出した場合、予め設定された標準的な充電手順を用いて充電アダプタと通信する。
【００６７】
本実施形態において、端末は、対象高速充電プロトコルを用いて、持続通信機能を有する、充電アダプタへの通信リンクを確立し、通信リンクを用いて、高速充電処理中にパラメータに対して精密な制御を実行することにより、充電の安全性を保証する。
【００６８】
任意選択で、可能な実施形態のいくつかにおいて、ＵＳＢポートは、第１の電極および第２の電極を含む。  プロセッサが、ＵＳＢポートを用いて充電アダプタのタイプを検出する段階は、
プロセッサが第１のレベル信号を第１の電極に印加する段階と、
プロセッサが、第２の電極上の第２のレベル信号の検出値を取得するために、第２のレベル信号を予め設定された期間の後に検出する段階と、
第２のレベル信号の検出値が第１のレベル信号の値未満である場合、プロセッサが、充電アダプタのタイプは、対象高速充電プロトコルをサポートする高速充電アダプタである、と判断する段階と
を含む。
【００６９】
本実施形態において、実際の適用では、第１の電極は、Ｄ＋を用いて示され得、第２の電極は、Ｄ−を用いて示され得る。ＵＳＢを用いて端末が充電アダプタに接続された後に、充電アダプタは、ＵＳＢの第１の電極とＵＳＢの第２の電極との間に短絡回路接続を確立することが理解されるべきである。従って、プロセッサが、予め設定された電源管理ユニットを用いて第１のレベル信号をＵＳＢの第１の電極に印加した後、第１のレベル信号も、それに応じて、ＵＳＢの第２の電極上で得られる。通常の場合、プロセッサが、予め設定された期間の後にＵＳＢの第２の電極上の第２のレベル信号を検出した場合、第２のレベル信号の検出値は、第１のレベル信号の値と同じであるべきである。しかしながら、本願において、充電アダプタのタイプが、対象高速充電プロトコルをサポートする高速充電アダプタであるかどうかを検出するために、プロセッサは、予め設定された電源管理ユニットを用いて、第１のレベル信号をＵＳＢの第１の電極に印加し、充電アダプタは、第１の電極と第２の電極との間の短絡回路接続を切断し、プルダウン抵抗器を用いて、第２の電極上の第１のレベル信号を第２のレベル信号へ調整する。調整された第２のレベル信号の値は、第１のレベル信号の値未満である。当然、第２のレベル信号の値は、代替的に０であり得、詳細は、本明細書において限定されない。言い換えれば、プロセッサによりＵＳＢの第２の電極上で検出される第２のレベル信号の検出値が第１のレベル信号の値未満である場合、充電アダプタのタイプは、対象高速充電プロトコルをサポートする高速充電アダプタである、と判断され得る。プロセッサによりＵＳＢの第２の電極上で検出される第２のレベル信号の検出値が第１のレベル信号の値と等しい場合、充電アダプタは、対象高速充電プロトコルをサポートしない充電アダプタである、と判断され得る。
【００７０】
任意選択で、いくつかの可能な実施形態において、プロセッサが、対象高速充電プロトコルに基づいて、持続通信機能を有する、充電アダプタへの通信リンクを確立する段階は、
プロセッサが、対象高速充電プロトコルに基づいて、通信リンクが正常に確立されているかどうかを検出するために用いられるサウンディング信号を充電アダプタへ送信する段階と、
充電アダプタによりサウンディング信号に応答して送信されたフィードバック信号を受信した場合、プロセッサが、持続通信機能を有する、充電アダプタへの通信リンクを確立する段階と
を含む。
【００７１】
本実施形態において、実際の適用では、サウンディング信号は、プライマリデバイスピングであり得、フィードバック信号は、セカンダリデバイスピングであり得る。
【００７２】
任意選択で、いくつかの可能な実施形態において、端末は、第１のカウンタおよび第２のカウンタをさらに含む。  方法は、
プロセッサがフィードバック信号を受信しなかった場合、プロセッサが、第１の予め設定されたルールに基づいて第１のカウンタの値を上げる段階と、
プロセッサが、第１のカウンタにより現在記録されているカウントが第１の予め設定された閾値を超えているかどうかを判断し、是の場合、プロセッサが、第２の予め設定されたルールに基づいて第２のカウンタの値を上げる段階と、
プロセッサが、第２のカウンタにより現在記録されているカウントが第２の予め設定された閾値を超えているかどうかを判断し、是の場合、プロセッサがサウンディング信号を送信するのを止める段階と
をさらに含む。
【００７３】
さらに、第１のカウンタにより現在記録されているカウントが第１の予め設定された閾値を超えていない場合、プロセッサは、サウンディング信号を繰り返し送信する。
【００７４】
さらに、第２のカウンタにより現在記録されているカウントが第２の予め設定された閾値を超えていない場合、プロセッサは、初期化処理を実行するよう第１のカウンタを制御する。
【００７５】
本実施形態において、プロセッサが、第１の予め設定されたルールに基づいて第１のカウンタの値を上げる段階は、プロセッサが第１のカウンタの現在のカウントを１だけ上げる段階であり得る。例えば、現在のカウントが１である場合、プロセッサが現在のカウント１を１だけ上げた後に、第１のカウンタの値は、２に変えられる。プロセッサが、第２の予め設定されたルールに基づいて第２のカウンタの値を上げる段階は、プロセッサが第２のカウンタの現在のカウントを１だけ上げる段階であり得る。例えば、現在のカウントが２である場合、プロセッサが現在のカウント２を１だけ上げた後に、第２のカウンタの値は、３に変えられる。加えて、実際の適用では、第１の予め設定された閾値は５であり得、第２の予め設定された閾値は３であり得る。このことは、本明細書において限定されない。
【００７６】
プロセッサは、第１のカウンタの値を別の方式でさらに上げ得ることが理解されるべきである。例えば、プロセッサが１回目のフィードバック信号を受信しなかった場合、プロセッサは、第１のカウンタの現在のカウントを１だけ上げて、第１のカウントを取得する。プロセッサが２回目のフィードバック信号を受信しなかった場合、プロセッサは、第１のカウントを２だけ上げて、第２のカウントを取得する。プロセッサが３回目のフィードバック信号を受信しなかった場合、プロセッサは、第２のカウントを３だけ上げる。以下同様である。詳細は、ここでは改めて説明されない。
【００７７】
同様に、プロセッサは、第２のカウンタの値を別の方式でさらに上げ得る。用いられる方法は、第１のカウンタの値を上げるためにプロセッサにより用いられる方法と類似し得る。詳細は、ここでは改めて説明されない。
【００７８】
本実施形態において、第１のカウンタの値および第２のカウンタの値は、別の方式でさらに上げられ得ることが理解されるべきである。このことは、本明細書において限定されない。
【００７９】
任意選択で、いくつかの可能な実施形態において、端末は、第３のカウンタをさらに含む。  方法は、
プロセッサが、フィードバック信号を受信しなかった場合、プロセッサが、第３の予め設定されたルールに基づいて第３のカウンタの値を上げる段階と、
プロセッサが、第３のカウンタにより現在記録されているカウントが第３の予め設定された閾値を超えているかどうかを判断し、是の場合、プロセッサが、サウンディング信号を送信するのを止め、または、否の場合、プロセッサがサウンディング信号を繰り返し送信する段階と、
をさらに含む。
【００８０】
本実施形態において、プロセッサが、第３の予め設定されたルールに基づいて第３のカウンタの値を上げる段階は、プロセッサが第３のカウンタの現在のカウントを１だけ上げる段階であり得る。例えば、現在のカウントが１である場合、プロセッサが現在のカウント１を１だけ上げた後に、第３のカウンタの値が２に変えられる。加えて、実際の適用では、第３の予め設定された閾値は、１５であり得る。このことは、本明細書において限定されない。
【００８１】
プロセッサは、第３のカウンタの値を別の方式でさらに上げ得ることが理解されるべきである。用いられる方法は、第１のカウンタの値を上げるためにプロセッサにより用いられる方法と類似し得る。詳細は、ここでは改めて説明されない。
【００８２】
任意選択で、いくつかの可能な実施形態において、方法は、
第２のレベル信号の検出値が第１のレベル信号の値以上である場合、プロセッサが、充電アダプタのタイプは標準的な充電アダプタであると判断し、予め設定された標準的な充電手順を用いて充電アダプタと通信する段階
をさらに含む。
【００８３】
図４を参照すると、図４は、本願の実施形態による充電方法の別の実施形態のフローチャートである。方法は、以下の段階を含む。
【００８４】
４０１：開始する。
【００８５】
４０２．電圧バス（Ｖｏｌｔａｇｅ  Ｂｕｓ、ＶＢＵＳ）が存在しているかどうかを判断し、是の場合、段階４０３を実行し、または、否の場合、段階４０２に戻る。
【００８６】
外部に接続されているデバイスが充電アダプタであるかどうかを判断する場合、端末はまず、ＵＳＢの電源ケーブルＶＢＵＳが存在しているかどうかを判断する必要がある。
【００８７】
４０３．外部に接続されているポートがＤＣＰであるかどうかを検出し、是の場合、段階４０４を実行し、または、否の場合、段階４１７を実行する。
【００８８】
４０４．第１のレベル信号をＤ＋に印加する。
【００８９】
端末は、外部に接続されているデバイスがＤＣＰの充電アダプタであることを検出した後、さらに、充電アダプタが、対象高速充電プロトコルをサポートする高速充電アダプタであるかどうかを検出する。対象高速充電プロトコルは、端末と充電アダプタとの間の持続通信機能をサポートする高速充電プロトコルである。従って、端末は、第１のレベル信号をＤ＋に印加してから、充電アダプタが対象高速充電プロトコルをサポートする高速充電アダプタであるかどうかを検証するために、充電アダプタのフィードバックを待機する。第１のレベル信号は、レベルＶＤＰ＿ＳＲＣであり得る。
【００９０】
端末は、電源管理ユニットをさらに含み得ることに留意すべきである。端末は、第１のレベル信号をＤ＋に印加するよう電源管理ユニットに命令し得る。
【００９１】
４０５．予め設定された期間待機する。
【００９２】
端末が第１のレベル信号をＤ＋に印加した後に、充電アダプタの側の対応する論理ユニットは、第１のレベル信号に基づいて、対応するフィードバックを提供する。従って、端末がＤ−の第２のレベル信号を検出した場合、対応する遅延が必要とされる。予め設定された期間は、Ｔｓｅｔｔｌｅであり得る。本願の本実施形態において、Ｔｓｅｔｔｌｅは、１ミリ秒であり得る。
【００９３】
４０６．Ｄ−の第２のレベル信号の検出値が第１のレベル信号の値未満であるかどうかを検出し、是の場合、段階４０７を実行し、または、否の場合、段階４１７を実行する。
【００９４】
端末が第１のレベル信号をＤ＋に印加した後に、充電アダプタ側の対応する論理ユニット、Ｄ＋とＤ−との間の短絡回路接続を切断し、プルダウン抵抗器を用いてＤ−の第１のレベル信号を第２のレベル信号へ調整する。第２のレベル信号の検出値は、０であり得る。詳細は、本明細書において限定されない。
【００９５】
端末は、ピア充電アダプタが取り外されていることを検出するまで、レベルＶＤＰ＿ＳＲＣをＤ＋に絶え間なく印加することに留意すべきである。
【００９６】
４０７．対象高速充電プロトコルを有効にする。
【００９７】
第２のレベル信号の検出値が第１のレベル信号の値未満である場合、端末は、充電アダプタのタイプは、対象高速充電プロトコルをサポートする高速充電アダプタである、と判断する。
【００９８】
４０８．再試行カウンタをリセットする。
【００９９】
４０９．ピングカウンタをリセットする。
【０１００】
ピングカウンタは第１のカウンタであり、再試行カウンタは第２のカウンタである。
【０１０１】
段階４０８および段階４０９を実行する順番に関する要件はないことが理解されるべきである。ピングカウンタがまずリセットされ得、次に、再試行カウンタがリセットされる。詳細は、本明細書において限定されない。
【０１０２】
４１０．プライマリデバイスピングを送信する。
【０１０３】
対象高速充電プロトコルを有効化にした後に、端末は、端末と充電アダプタとの間の、Ｄ−信号ケーブルにより保持される通信チャネルが正常に確立され得るかどうかを検証することが必要である。従って、端末は、充電アダプタをピングする必要がある。
【０１０４】
４１１．セカンダリデバイスピングが受信されているかどうかを判断し、是の場合、段階４１８を実行し、または、否の場合、段階４１２を実行する。
【０１０５】
端末により送信されたプライマリデバイスピングを受信する場合、それに応じて、充電アダプタは、セカンダリデバイスピングを端末にフィードバックする。充電アダプタによりフィードバックされたセカンダリデバイスピングを受信しなかった場合、端末は、プライマリデバイスピングを充電アダプタへ改めて送信し得る。
【０１０６】
４１２．ピングカウンタの値を次第に上げる。
【０１０７】
プライマリデバイスピングを高速充電アダプタへ送信した後に、端末が、充電アダプタにより送信されたセカンダリデバイスピングを受信しなかった場合、端末は、ピングカウンタの値を１だけ上げ得る。
【０１０８】
当然、代替的に、端末は、プライマリデバイスピングを高速充電アダプタへ送信するたびにピングカウンタの値を１だけ上げ得ると共に、充電アダプタにより送信されたセカンダリデバイスピングを受信した後に、ピングカウンタの値を１だけ下げる。詳細は、本明細書において限定されない。
【０１０９】
４１３．ピングカウンタの値が５超であるかどうかを判断し、是の場合、段階４１４を実行し、または、否の場合、段階４１０に戻る。
【０１１０】
プライマリデバイスピングを高速充電アダプタへ改めて送信する前に、端末は、ピングカウンタの値が第１の予め設定された閾値を超えているかどうかを判断する。第１の予め設定された閾値は、予め設定された値である。本願の本実施形態において、第１の予め設定された閾値は、５に設定される。端末が、ピングカウンタの値は、５に達している、と判断した場合、端末は、再試行カウンタの値を１だけ上げ、再試行カウンタの値をさらに判断する。端末が、ピングカウンタの値は、５に達していない、と判断した場合、端末は、プライマリデバイスピングを充電アダプタへ送信し続ける。
【０１１１】
４１４．再試行カウンタの値を次第に上げる。
【０１１２】
端末は、ピングカウンタの値が５に達している、と判断した場合、ピングカウンタを初期化し、例えば、ピングカウンタを０にリセットし、再試行カウンタの値を１だけ上げ、かつ、再試行カウンタの値をさらに判断する必要がある。
【０１１３】
４１５．再試行カウンタの値が３超であるかどうかを判断し、是の場合、段階４１６を実行し、または、否の場合、段階４０９を実行する。
【０１１４】
端末は、再試行カウンタの値が第２の予め設定された閾値超であるかどうかを判断する。第２の予め設定された閾値は、予め設定された値でもある。本願の本実施形態において、第２の閾値は、３に設定される。言い換えれば、端末は、再試行カウンタの値が３を超えている、と判断した場合、端末と充電アダプタとの間の、Ｄ−信号ケーブルにより保持される通信チャネルは、正常に確立され得ない、と判断する。端末は、再試行カウンタの値は３を超えていない、と判断した場合、充電アダプタがセカンダリデバイスピングをフィードバックするまで、プライマリデバイスピングを充電アダプタへ送信し続ける。
【０１１５】
４１６．プライマリデバイスピングを送信するのを止める。
【０１１６】
端末は、再試行カウンタの値が３を超えている、と判断した場合、プライマリデバイスピングを送信するのを止め、端末と充電アダプタとの間の、Ｄ−信号ケーブルにより保持される通信チャネルは、正常に確立され得ない、と判断し、通常の充電手順に基づいて充電を実行し得る。
【０１１７】
４１７．標準的な充電手順を入力する。
【０１１８】
４１８．通信チャネルを用いて高速充電処理を制御する。
【０１１９】
本実施形態において、端末は、対象高速充電プロトコルを用いて、持続通信機能を有する、充電アダプタへの通信リンクを確立し、通信リンクを用いて、高速充電処理中にパラメータに対して精密な制御を実行することにより、充電の安全性を保証する。
【０１２０】
２：充電アダプタ側
【０１２１】
図５を参照すると、図５は、本願の実施形態による充電方法の別の実施形態のフローチャートである。方法は、以下の段階を含む。
【０１２２】
５０１：コントローラが、端末により充電アダプタのタイプを検出するために印加される第１のレベル信号を第１の電極が有しているかどうかを検出する。
【０１２３】
本実施形態において、端末は、第１のレベル信号を第１の電極に印加する。第１のレベル信号は、充電アダプタのタイプを検出するために用いられる。
【０１２４】
５０２．コントローラが、第１のレベル信号が第１の電極に印加されていることを検出した場合、第１の電極と第２の電極との間の短絡回路接続を切断し、第２の電極のレベル信号を第１のレベル信号から、値が第１のレベル信号の値未満である第２のレベル信号へ調整する。
【０１２５】
本実施形態において、コントローラが第２の電極のレベル信号を第１のレベル信号から第２のレベル信号へ調整し、第２のレベル信号の値が第１のレベル信号の値未満である場合、端末は、第１のレベル信号の値および第２のレベル信号の値に基づいて、充電アダプタのタイプは、対象高速充電プロトコルをサポートする高速充電アダプタである、と判断し得る。
【０１２６】
本実施形態において、コントローラは、端末が、第１の電極上のレベル信号と第２の電極上のレベル信号とに基づいて、充電アダプタのタイプは対象高速充電プロトコルをサポートする高速充電アダプタであるかどうかを判断するように、第２の電極上のレベル信号を調整し、これにより、本願の技術的解決手段を改善する。
【０１２７】
任意選択で、いくつかの可能な実施形態において、コントローラが第２の電極のレベル信号を第１のレベル信号から第２のレベル信号へ調整する段階の後に、方法は、
コントローラが、端末により送信されたサウンディング信号を受信する段階であって、サウンディング信号は、通信リンクが正常に確立されているかどうかを検出するために用いられる、段階と、
コントローラが、サウンディング信号に応答するためにフィードバック信号を端末へ送信することにより、持続通信機能を有する通信リンクを端末およびコントローラが確立するようにする段階と
をさらに含む。
【０１２８】
本実施形態において、実際の適用では、端末は、対象高速充電プロトコルに基づいて、プライマリデバイスピングを充電アダプタへ送信し得る。端末は、充電アダプタにより送信される、プライマリデバイスピングに対応するセカンダリデバイスピングを受信している場合、持続通信機能を有する、充電アダプタへの通信リンクを確立する。
【０１２９】
任意選択で、いくつからの可能な実施形態において、充電アダプタは、プルダウン抵抗器およびスイッチをさらに含み得る。プルダウン抵抗器は、スイッチを用いて第２の電極から分離される。コントローラが、第２の電極のレベル信号を第１のレベル信号から第２のレベル信号へ調整する段階は、コントローラが、スイッチを用いて、プルダウン抵抗器を第２の電極に接続し、プルダウン抵抗器を用いて、第２の電極のレベル信号を第１のレベル信号から第２のレベル信号へ調整する段階を含み得る。実際の適用では、第２のレベル信号の値は、０であり得る。
【０１３０】
図６を参照すると、図６は、本願の実施形態による充電方法の別の実施形態のフローチャートである。方法は、以下の段階を含む。
【０１３１】
６０１：開始する。
【０１３２】
６０２．５ＶをＶＢＵＳに印加し、Ｄ＋とＤ−との間に短絡回路接続を確立する。
【０１３３】
充電アダプタは、ＵＳＢのＶＢＵＳを用いて端末に接続された後に、ＵＳＢのＤ＋とＤ−との間に短絡回路接続を確立し、５Ｖのレベル信号をＵＳＢのＶＢＵＳに印加する。
【０１３４】
６０３．第１のレベル信号がＤ＋に印加されているかどうかを検出し、是の場合、段階６０４を実行する。
【０１３５】
充電アダプタは、端末により充電アダプタのタイプを検出するために印加される第１のレベル信号をＤ＋が有しているかどうかを検出し、否の場合、検出を実行し続ける。
【０１３６】
６０４．Ｄ＋とＤ−との間の短絡回路接続を切断し、プルダウン抵抗器を用いて、Ｄ−のレベル信号を第１のレベル信号から第２のレベル信号へ調整する。
【０１３７】
実際の回路において、充電アダプタは、プルダウン抵抗器およびスイッチをさらに含み得る。プルダウン抵抗器は、スイッチを用いてＤ−から分離される。
【０１３８】
充電アダプタは、第１のレベル信号がＤ＋に印加されていることを検出した場合、Ｄ＋とＤ−との間の短絡回路接続を切断する。次に、充電アダプタは、スイッチを用いて、プルダウン抵抗器をＤ−に接続し、プルダウン抵抗器を用いて、Ｄ−のレベル信号を第１のレベル信号から第２のレベル信号へ調整し得る。
【０１３９】
６０５．プライマリデバイスピングを受信する。
【０１４０】
端末により送信されたサウンディング信号が受信される。サウンディング信号は、通信チャネルが正常に確立されているかどうかを検出するために用いられるプライマリデバイスピングであり得る。
【０１４１】
６０６．セカンダリデバイスピングを送信する。
【０１４２】
端末により送信されたプライマリデバイスピングが受信された後に、セカンダリデバイスピングが端末にフィードバックされることにより、端末は、持続通信機能を有する、充電アダプタへの通信チャネルを確立する。
【０１４３】
本実施形態において、充電アダプタは、端末が、Ｄ＋のレベル信号とＤ−のレベル信号とに基づいて、充電アダプタのタイプは、対象高速充電プロトコルをサポートする高速充電アダプタであるかどうかを判断するように、Ｄ＋およびＤ−のレベル信号を調整し、これにより、本願の技術的解決手段を改善する。
【０１４４】
３：端末と充電アダプタとの間のインタラクション側
【０１４５】
図７を参照すると、図７は、本願の実施形態による充電方法の別の実施形態のフローチャートである。方法は、以下の段階を含む。
【０１４６】
７０１：プロセッサが第１のレベル信号を第１の電極に印加する。
【０１４７】
７０２．コントローラが、第１のレベル信号が第１の電極に印加されているかどうかを検出する。
【０１４８】
７０３．コントローラが、第１のレベル信号が第１の電極に印加されていることを検出した後に、第１の電極と第２の電極との間の短絡回路接続を切断し、プルダウン抵抗器を用いて、第２の電極のレベル信号を第１のレベル信号から第２のレベル信号へ調整する。
【０１４９】
７０４．プロセッサが、第１のレベル信号の値未満である、第２の電極上の第２のレベル信号の検出値を取得するために、第２のレベル信号を予め設定された期間の後に検出する。
【０１５０】
７０５．プロセッサが、充電アダプタのタイプは、対象高速充電プロトコルをサポートする高速充電アダプタである、と判断する。
【０１５１】
７０６．プロセッサが、対象高速充電プロトコルに基づいて、サウンディング信号を充電アダプタへ送信する。
【０１５２】
７０７．コントローラが、サウンディング信号に応答するためにフィードバック信号をプロセッサへ送信する。
【０１５３】
７０８．コントローラが、フィードバック信号に基づいて、持続通信機能を有する通信リンクを確立する。
【０１５４】
プロセッサは、ＵＳＢを用いてコントローラに予め接続されることが理解されるべきである。加えて、本実施形態における段階の関連する説明については、上述の実施形態を参照されたい。詳細は、ここでは改めて説明されない。
【０１５５】
加えて、充電の安全性を保証するために、本実施形態において、端末が充電アダプタから分離されている場合、検出がさらに実行される。つまり、分離検出が実行される。具体的には、端末が高速充電アダプタから分離されている場合、端末および充電アダプタは、それぞれのインタフェースおよび設定を復元する。分離検出は、信号検出およびプロトコル検出という２つのタイプの検出を含む。信号検出のみがサポートされ得るか、または２つのタイプの検出の両方がサポートされ得る。詳細は、本明細書において限定されない。
【０１５６】
信号検出中、端末は、ＶＢＵＳの分離を検出し得、高速充電アダプタは、第１の電極上のレベル信号の値が基準レベル閾値未満であるかどうかを検出し得る。
【０１５７】
プロトコル検出中、端末は、サウンディング信号を充電アダプタへ送信し、充電アダプタの応答を検出し得る。充電アダプタは、ウォッチドッグメカニズムを用いて、端末からのサウンディング信号が絶え間なく受信されているかどうかを検出し得る。
【０１５８】
上記は、本願の実施形態における充電方法を説明しており、以下では、本願の実施形態における端末を説明する。
【０１５９】
図８を参照すると、図８は、本願の実施形態による端末の実施形態の模式図である。  端末は、
ＵＳＢポート８０１と、プロセッサ８０２と、論理回路８０３とを含み、
プロセッサ８０２および論理回路８０３はそれぞれ、ＵＳＢポート８０１に連結され、
論理回路８０３は、対象高速充電プロトコルをサポートし、
プロセッサ８０２は、論理回路８０３に接続され、
ＵＳＢポート８０１は、充電アダプタに接続するように構成され、
対象高速充電プロトコルは、端末と充電アダプタとの間の持続通信機能をサポートする高速充電プロトコルであり、
プロセッサ８０２は、
ＵＳＢポート８０１を用いて充電アダプタのタイプを検出し、かつ、
充電アダプタのタイプは、対象高速充電プロトコルをサポートする高速充電アダプタであることを検出した場合、対象高速充電プロトコルに基づいて、持続通信機能を有する、充電アダプタへの通信リンクを確立し、通信リンクを用いて、充電アダプタが端末を高速充電する処理を制御する
ように構成される。
【０１６０】
本実施形態において、プロセッサ８０２は、対象高速充電プロトコルに基づいて、持続通信機能を有する、充電アダプタへの通信リンクを確立し、通信リンクを用いて、高速充電処理中にパラメータに対して精密な制御を実行することにより、充電の安全性を保証する。
【０１６１】
プロセッサ８０２の具体的な機能については、図３または図４に示される方法の実施形態を参照されたい。詳細は、ここでは改めて説明されない。
【０１６２】
いくつかの任意選択の実施形態において、ＵＳＢポート８０１は、第１の電極および第２の電極を含み、
プロセッサ８０２はさらに、
第１のレベル信号を第１の電極に印加し、
第２の電極上の第２のレベル信号の検出値を取得するために、第２のレベル信号を予め設定された期間の後に検出し、かつ、
第２のレベル信号の検出値が第１のレベル信号の値未満である場合、充電アダプタのタイプは、対象高速充電プロトコルをサポートする高速充電アダプタである、と判断する
ように構成される。
【０１６３】
いくつかの他の任意選択の実施形態において、プロセッサ８０２はさらに、対象高速充電プロトコルを有効にし、
対象高速充電プロトコルに基づいて、通信リンクが正常に確立されているかどうかを検出するために用いられるサウンディング信号を充電アダプタへ送信し、かつ、
充電アダプタによりサウンディング信号に応答して送信されたフィードバック信号が受信された場合、持続通信機能を有する、充電アダプタへの通信リンクを確立する
ように構成される。
【０１６４】
いくつかの他の任意選択の実施形態において、端末は、第１のカウンタおよび第２のカウンタをさらに含み、
プロセッサ８０２はさらに、
フィードバック信号が受信されなかった場合、第１の予め設定されたルールに基づいて第１のカウンタの値を上げ、
第１のカウンタにより現在記録されているカウントが第１の予め設定された閾値を超えているかどうかを判断し、是の場合、第２の予め設定されたルールに基づいて第２のカウンタの値を上げ、かつ、
第２のカウンタにより現在記録されているカウントが第２の予め設定された閾値を超えているかどうかを判断し、是の場合、サウンディング信号を送信するのを止める
ように構成される。
【０１６５】
いくつかの他の任意選択の実施形態において、プロセッサ８０２はさらに、第１のカウンタにより現在記録されているカウントが第１の予め設定された閾値を超えていない場合、サウンディング信号を繰り返し送信するように構成される。
【０１６６】
いくつかの他の任意選択の実施形態において、プロセッサ８０２はさらに、
第２のカウンタにより現在記録されているカウントが第２の予め設定された閾値を超えていない場合、初期化処理を実行するよう第１のカウンタを制御する
ように構成される。
【０１６７】
いくつかの他の任意選択の実施形態において、プロセッサ８０２はさらに、
対象高速充電プロトコルに基づいてサウンディング信号を充電アダプタへ送信する前に、第１のカウンタと第２のカウンタとを別々に初期化するように構成される。
【０１６８】
いくつかの他の任意選択の実施形態において、端末は、第３のカウンタをさらに含み、
プロセッサ８０２はさらに、
フィードバック信号が受信されなかった場合、第３の予め設定されたルールに基づいて第３のカウンタの値を上げ、かつ、
第３のカウンタにより現在記録されているカウントが第３の予め設定された閾値を超えているかどうかを判断し、是の場合、サウンディング信号を送信するのを止め、または、否の場合、サウンディング信号を繰り返し送信する
ように構成される。
【０１６９】
いくつかの他の任意選択の実施形態において、プロセッサはさらに、
第２のレベル信号の検出値が第１のレベル信号の値以上である場合、充電アダプタのタイプは標準的な充電アダプタであると判断し、予め設定された標準的な充電手順を用いて充電アダプタと通信するように構成される。
【０１７０】
上記は、本願の実施形態における端末を説明しており、以下では、本願の実施形態における充電アダプタを説明する。
【０１７１】
図９を参照すると、図９は、本願の実施形態による充電アダプタの実施形態の模式図である。  充電アダプタであって、
ユニバーサルシリアルバス（ＵＳＢ）ポート９０１と、コントローラ９０２と、論理回路９０３とを含み、
コントローラ９０２および論理回路９０３はそれぞれ、ＵＳＢポート９０１に連結され、
論理回路９０３は、対象高速充電プロトコルをサポートし、
コントローラ９０２は、論理回路９０３に接続され、
ＵＳＢポート９０１は、端末に接続するように構成され、
ＵＳＢポート９０１は、第１の電極９０１１および第２の電極９０１２を含み、
第１の電極９０１１と第２の電極９０１２との間には短絡回路接続が存在し、
対象高速充電プロトコルは、端末と充電アダプタとの間の持続通信機能をサポートする高速充電プロトコルであり、
コントローラ９０２は、端末により充電アダプタのタイプを検出するために印加される第１のレベル信号を第１の電極９０１１が有しているかどうかを検出し、第１のレベル信号が第１の電極９０１１に印加されていることを検出した場合、第１の電極９０１１と第２の電極９０１２との間の短絡回路接続を切断し、第２の電極９０１２のレベル信号を第１のレベル信号から第２のレベル信号へ調整することにより、端末が、第１のレベル信号の値と、第１のレベル信号の値未満である、第２のレベル信号の値とに基づいて、充電アダプタのタイプは、対象高速充電プロトコルをサポートする高速充電アダプタである、と判断するようにする
ように構成される。
【０１７２】
本実施形態において、コントローラ９０２は、端末が、第１の電極９０１１上のレベル信号と第２の電極９０１２上のレベル信号とに基づいて、充電アダプタのタイプは対象高速充電プロトコルをサポートする高速充電アダプタであるかどうかを判断するように、第１の電極９０１１および第２の電極９０１２上のレベル信号を調整し、これにより、本願の技術的解決手段を改善する。
【０１７３】
コントローラ９０２の具体的な機能については、図５または図６に示される方法の実施形態を参照されたい。詳細は、ここでは改めて説明されない。
【０１７４】
いくつかの任意選択の実施形態において、コントローラ９０２はさらに、
第２の電極９０１２のレベル信号を第１のレベル信号から第２のレベル信号へ調整した後に、通信リンクが正常に確立されているかどうかを検出するために用いられる、端末により送信されたサウンディング信号を受信し、サウンディング信号に応答するためにフィードバック信号を端末へ送信することにより、端末およびコントローラ９０２が持続通信機能を有する通信リンクを確立するようにする
ように構成される。
【０１７５】
いくつかの他の任意選択の実施形態において、充電アダプタは、プルダウン抵抗器およびスイッチをさらに含み、
プルダウン抵抗器は、スイッチを用いて第２の電極９０１２から分離され、
コントローラ９０２はさらに、スイッチを用いて、プルダウン抵抗器を第２の電極９０１２に接続し、プルダウン抵抗器を用いて、第２の電極９０１２のレベル信号を第１のレベル信号から第２のレベル信号へ調整するように構成される。
【０１７６】
簡便かつ簡潔な説明を目的として、上述のシステム、装置およびユニットの詳細な動作プロセスについては、上述の方法の実施形態における対応するプロセスが参照されてよいことが、当業者には明確に理解され得る。詳細は、ここでは改めて説明されない。
【０１７７】
本願において提供されるいくつかの実施形態において、開示されたシステム、装置および方法は、他の方式で実装され得ることが理解されるべきである。例えば、説明されている装置の実施形態は、一例に過ぎない。例えば、ユニットの分割は、論理的機能の分割に過ぎず、実際の実装では他の分割であってよい。例えば、複数のユニットまたはコンポーネントが組み合わされるかまたは別のシステムに統合されてよく、いくつかの特徴が無視されても実行されなくてもよい。加えて、表示または説明された相互結合もしくは直接結合または通信接続は、いくつかのインタフェースを用いて実装されてよい。装置間またはユニット間の間接的な結合または通信接続は、電子的、機械的または他の形式で実装されてよい。
【０１７８】
別個の部分として説明されたユニットは、物理的に離れていてもいなくてもよく、ユニットとして表示された部分は、物理的なユニットであってもそうでなくてもよく、１箇所に配置されてもよく、複数のネットワークユニットに分散されてもよい。当該ユニットのいくつかまたは全てが、実施形態の解決手段の目的を達成するための実際の要件に基づいて選択されてよい。
【０１７９】
加えて、本願の実施形態における機能ユニットが１つの処理ユニットに統合されてよく、これらのユニットの各々が物理的に単独で存在してもよく、２つまたはそれより多くのユニットが１つのユニットに統合されてもよい。統合されたユニットは、ハードウェア形式で実装されてよく、または、ソフトウェア機能ユニット形式で実装されてもよい。
【０１８０】
統合されたユニットがソフトウェア機能ユニットの形態で実装され、独立した製品として販売または使用される場合、統合されたユニットは、コンピュータ可読記憶媒体に記憶されてよい。そのような理解に基づいて、本願の技術的解決手段は本質的に、または、従来技術に寄与する部分または技術的解決手段の全部もしくは一部は、ソフトウェア製品の形態で実装されてよい。ソフトウェア製品は、記憶媒体に記憶され、本願の実施形態において説明された方法の段階の全部または一部を実行するようコンピュータデバイス（パーソナルコンピュータ、サーバまたはネットワークデバイスであってよい）に命令するためのいくつかの命令を含む。上述の記憶媒体は、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスクまたは光ディスクなど、プログラムコードを記憶し得る任意の媒体を含む。
【０１８１】
上述の実施形態は、本願の技術的解決手段を説明することを意図しているに過ぎず、本願を限定することを意図していない。本願は上述の実施形態に関して詳細に説明されているが、当業者であれば、本願の実施形態の技術的解決手段の範囲から逸脱することなく、上述の実施形態において説明された技術的解決手段に対してさらに修正を行い得るか、またはそれらのいくつかの技術的特徴に対して均等な置き換えを行い得ることを理解するはずである。
【国際調査報告】
2019534672.tif 000014
2019534672.tif 000015
2019534672.tif 000016
2019534672.tif 000017
2019534672.tif 000018